(57)【要約】本発明は、複数のリチウム２次電池が積層されてなるリチウム２次電池単位セット及び前記リチウム２次電池単位セットを複数含むリチウム２次電池単位セットに関し、パウチと電極タップから構成された多数のリチウム２次電池を収容及び保護することはもちろん、リチウム２次電池の積層構造が自由になるにつれて、電圧及び容量の変更が容易なリチウム２次電池の単位セット及び複数のリチウム２次電池単位セットを有する電池セットに関する。【選択図】図３
2011502337.tif 000002
【特許請求の範囲】
【請求項１】
左側エンドフレーム及び右側エンドフレームと、
露出した第１タップ保持部が上端部に形成されて、前記第１タップ保持部の下方左側に左側が開放された左側収容部、及び下方右側に右側が開放された右側収容部が形成されて、前記左側エンドフレームと右側エンドフレームとの間に相互隣り合って設けられる複数のメインフレームと、
露出した第２タップ保持部が上端部に形成されて、前記複数のメインフレームの中、隣り合う二つのメインフレームの左側メインフレームの右側収容部と右側メインフレームの左側収容部との間に設けられるように、左側が前記左側メインフレームに締結されて、右側が前記右側メインフレームに締結されるセンターフレームと、
パウチの外周面の左側に折り曲げられた左側電極タップ及び右側に折り曲げられた右側電極タップがそれぞれ突設されて、それぞれのメインフレームの左側収容部に収容される第１タイプリチウム２次電池と、
前記第１タイプリチウム２次電池の右側電極タップと対向する方向に、これと反対極性の左側電極タップが突設されて、前記第１タイプリチウム２次電池の左側電極タップと対向する方向に、これと反対極性の右側電極タップが突設され、前記それぞれのメインフレームの右側収容部に収容される第２タイプリチウム２次電池と、
上部にボルトが突設される第１下部固定板と、前記第１下部固定板のボルトが貫通する第１上部固定板と、前記第１上部固定板を貫通した前記第１下部固定板のボルト端部に締結される第１締結具とを備えて、前記第１タップ保持部に配置される第１締結手段と、
上部にボルトが突設される第２下部固定板と、前記第２下部固定板のボルトが貫通する第２上部固定板と、前記第２上部固定板を貫通した前記第２下部固定板のボルト端部に締結される第２締結具とを備えて、前記第２タップ保持部に配置される第２締結手段と、を含み、
前記いずれかのメインフレームに収容された第１タイプリチウム２次電池の右側電極タップ及び第２タイプリチウム２次電池の左側電極タップは、前記第１締結手段により直列に通電可能に固定連結されて、
前記隣り合うメインフレームの中、左側メインフレームに収容された第２タイプリチウム２次電池の右側電極タップ及び右側メインフレームに収容された第１タイプリチウム２次電池の左側電極タップは、前記第２締結手段により直列に通電可能に固定連結されることを特徴とする、リチウム２次電池単位セット。
【請求項２】
前記それぞれのメインフレームの左側収容部には、前記第１タイプリチウム２次電池ｎ個（ｎは２以上の自然数）が相互並列に通電するように収容され、
前記それぞれのメインフレームの右側収容部には、前記第２タイプリチウム２次電池ｎ個が相互並列に通電するように収容されることを特徴とする、請求項１に記載のリチウム２次電池単位セット。
【請求項３】
前記それぞれのメインフレームの左側収容部に収容された前記ｎ個の第１タイプリチウム２次電池は、相互並列に通電するように、その左側電極タップ及び右側電極タップがそれぞれ上下に積層されて、
前記それぞれのメインフレームの右側収容部に収容された前記ｎ個の第２タイプリチウム２次電池は、相互並列に通電されるように、その左側電極タップ及び右側電極タップがそれぞれ上下に積層されることを特徴とする、請求項２に記載のリチウム２次電池単位セット。
【請求項４】
前記左側エンドフレームは、露出した第３タップ保持部が上端部に形成されて、前記複数のメインフレームの中、左側端メインフレームの左側に締結されて、
前記右側エンドフレームは、露出した第４タップ保持部が上端部に形成されて、前記複数のメインフレームの中、右側端メインフレームの右側に締結されて、
前記第３タップ保持部には、上部にボルトが突設される第３下部固定板と、前記第３下部固定板のボルトが貫通する第３上部固定板と、前記第３上部固定板を貫通した前記第３下部固定板のボルト端部に締結される第３締結具とを備える第３締結手段が配置されて、
前記第４タップ保持部には、上部にボルトが突設される第４下部固定板と、前記第４下部固定板のボルトが貫通する第４上部固定板と、前記第４上部固定板を貫通した前記第４下部固定板のボルト端部に締結される第４締結具とを備える第４締結手段が配置され、
前記第３締結手段は、前記第３下部固定板と第３上部固定板との間に、前記複数のメインフレームの左側端メインフレームに収容された第１タイプリチウム２次電池の左側電極タップを固定させて、
前記第４締結手段は、前記第４下部固定板と第４上部固定板との間に、前記複数のメインフレームの右側端メインフレームに収容された第２タイプリチウム２次電池の左側電極タップを固定させることを特徴とする、請求項１乃至３のいずれかに記載のリチウム２次電池単位セット。
【請求項５】
前記第１上部固定板、第２上部固定板、第３上部固定板及び第４上部固定板には固定板コネクターがそれぞれ付着されて、
前記それぞれの固定板コネクターには、電圧測定器に連結された電圧測定ライン側のコネクターが挿着されることを特徴とする、請求項４に記載のリチウム２次電池単位セット。
【請求項６】
前記第３下部固定板と第３上部固定板との間には、前記第２タイプリチウム２次電池の右側電極タップと同一な材質のダミー(dummy)電極タップが固定されて、前記第４下部固定板と第４上部固定板との間には、前記第１タイプリチウム２次電池の左側電極タップと同一な材質のダミー(dummy)電極タップが固定されることを特徴とする、請求項５に記載のリチウム２次電池単位セット。
【請求項７】
前記それぞれの第１締結手段及び第２締結手段の上部に設けられる保護蓋をさらに含み、
前記それぞれのメインフレームの上端部には、前記第１タップ保持部の水平延長線上に前記保護蓋が締結される第１保護蓋固定部が上方に突設されて、
前記それぞれのセンターフレームの上端部には、前記第２タップ保持部の水平延長線上に前記保護蓋が締結される第２保護蓋固定部が上方に突設されることを特徴とする、請求項１乃至３のいずれかに記載のリチウム２次電池単位セット。
【請求項８】
前記それぞれのメインフレームは、一字形の底板と、前記底板の前方側端から上方に立てられて、中央部に空気流通孔が形成される前方垂直板と、前記底板の後方側端から上方に立てられて、中央部に空気流通孔が形成される後方垂直板と、前記前方垂直板の上方に位置して前方に突出される前方離隔突起と、前記後方垂直板の上方に位置して後方に突出される後方離隔突起とを含み、前記前方離隔突起及び後方離隔突起には、それぞれ一字形管が左右側方向に収容される収容溝が上端から引込み形成されることを特徴とする、請求項１乃至３のいずれかに記載のリチウム２次電池単位セット。
【請求項９】
前記前方垂直板及び後方垂直板には、それぞれ左側端と右側端から引き込まれる左側溝及び右側溝が形成されて、
前記センターフレームには、
前方外側面から内側に引き込まれて、左側面及び右側面を貫通し、前記隣り合うメインフレームの左側メインフレームの前方垂直板の右側溝及び右側メインフレームの前方垂直板の左側溝が形成する貫通孔に連通される温度センサー前方挿着溝が形成されて、
後方外側面から内側に引き込まれて、左側面及び右側面を貫通し、前記隣り合うメインフレームの左側メインフレームの後方垂直板の右側溝及び右側メインフレームの後方垂直板の左側溝が形成する貫通孔に連通される温度センサー後方挿着溝が形成されることを特徴とする、請求項８に記載のリチウム２次電池単位セット。
【請求項１０】
前記前方離隔突起は、後端部に形成される小幅部と、小幅部に連接して小幅部よりも左右側に突出し、前端部に形成される大幅部とを含み、
前記後方離隔突起は、前端部に形成される小幅部と、小幅部に連接して小幅部よりも左右側に突出し、後端部に形成される大幅部とを含み、
前記前方離隔突起の収容溝は、一部が前記前方離隔突起の小幅部に形成されて、その他は前記前方離隔突起の大幅部に形成され、
前記後方離隔突起の収容溝は、一部が前記後方離隔突起の小幅部に形成されて、その他は前記後方離隔突起の大幅部に形成され、
温度測定器に連結された温度測定ラインの中、前記隣り合う二つのメインフレームの左側メインフレームの前方離隔突起の小幅部と右側フレームの前方離隔突起の小幅部が形成する隙間を通じて案内された温度測定ラインは、前記温度センサー前方挿着溝に挿着された温度センサーに連結されて、
温度測定器に連結された温度測定ラインの中、前記隣り合う二つのメインフレームの左側メインフレームの後方離隔突起の小幅部と右側フレームの後方離隔突起の小幅部が形成する隙間を通じて案内された温度測定ラインは、前記温度センサー後方挿着溝に挿着された温度センサーに連結されることを特徴とする、請求項９に記載のリチウム２次電池単位セット。
【請求項１１】
前記前方離隔突起は、後端部に形成される小幅部と、小幅部に連接して小幅部よりも左右側に突出し、前端部に形成される大幅部とを含み、
前記後方離隔突起は、前端部に形成される小幅部と、小幅部に連接して小幅部よりも左右側に突出し、後端部に形成される大幅部とを含み、
前記前方離隔突起の収容溝は、一部が前記前方離隔突起の小幅部に形成されて、その他は前記前方離隔突起の大幅部に形成され、
前記後方離隔突起の収容溝は、一部が前記後方離隔突起の小幅部に形成されて、その他は前記後方離隔突起の大幅部に形成され、
前記隣り合う二つのメインフレームの左側メインフレームの前方離隔突起の小幅部と右側メインフレームの前方離隔突起の小幅部とが形成する隙間を通じて案内された電圧測定ラインは、第２締結手段に通電可能に連結されて、
前記隣り合う二つのメインフレームの左側メインフレームの後方離隔突起の小幅部と右側メインフレームの後方離隔突起の小幅部とが形成する隙間を通じて案内された電圧測定ラインは、第１締結手段に通電可能に連結されることを特徴とする、請求項８に記載のリチウム２次電池単位セット。
【請求項１２】
ハウジング空気流入孔及びハウジング空気流出孔が形成されて、前記リチウム２次電池単位セットを包み込むリチウム２次電池ハウジングを含み、
前記ハウジング空気流入孔は、前記ハウジング内面と前記前方垂直板との間に形成される前方空気流通路の延長線上または前記ハウジング内面と前記後方垂直板との間に形成される後方空気流通路の延長線上の中、いずれか一つの延長線上に形成され、
前記ハウジング空気流出孔は、前記ハウジング内面と前記前方垂直板との間に形成される前方空気流通路の延長線上または前記ハウジング内面と前記後方垂直板との間に形成される後方空気流通路の延長線上の中、他の一つの延長線上に形成されることを特徴とする、請求項８に記載のリチウム２次電池単位セット。
【請求項１３】
ハウジング空気流入孔及びハウジング空気流出孔が形成されて、前記リチウム２次電池単位セットを包み込むリチウム２次電池ハウジングをさらに含み、
前記ハウジング空気流入孔は、前記ハウジングの前面と後面の中、いずれか一面に形成されて、
前記ハウジング空気流出孔は、前記ハウジングの前面と後面の中、他の一面に形成されることを特徴とする、請求項８に記載のリチウム２次電池単位セット。
【請求項１４】
前後に隣り合って設けられる請求項８に記載の複数のリチウム２次電池単位セットと、
ハウジング空気流入孔及びハウジング空気流出孔が形成されて、前記複数のリチウム２次電池単位セットを包み込むリチウム２次電池ハウジングと、を含み、
隣り合う二つのリチウム２次電池単位セットは、前方リチウム２次電池単位セットの後方離隔突起の後端が後方リチウム２次電池単位セットの前方離隔突起先端と接触するように設けられて、
前記ハウジング空気流入孔及びハウジング空気流出孔は、ぞれぞれ前記ハウジング内面と、前記リチウム２次電池単位セットの中、最前方に位置したリチウム２次電池単位セットの前方垂直板との間に形成される前方空気流通路の延長線上、前記ハウジング内面と、前記リチウム２次電池単位セットの中、最後方に位置したリチウム２次電池単位セットの後方垂直板との間に形成される後方空気流通路の延長線上、及び前記隣り合う二つのリチウム２次電池単位セットの後方垂直板と前方垂直板との間に形成される中間空気流通路の延長線上の中、少なくともいずれか一つの延長線上に形成されることを特徴とする、複数のリチウム２次電池単位セットを有する電池セット。
【請求項１５】
前後に隣り合って設けられる請求項８に記載の複数のリチウム２次電池単位セットと、
ハウジング空気流入孔及びハウジング空気流出孔が形成されて、前記複数のリチウム２次電池単位セットを包み込むリチウム２次電池ハウジングと、を含み、
隣り合う二つのリチウム２次電池単位セットは、前方リチウム２次電池単位セットの後方離隔突起の後端が、後方リチウム２次電池単位セットの前方離隔突起先端と接触するように設けられて、
前記ハウジング空気流入孔は、前記ハウジングの前面と後面の中、いずれか一面に形成されて、
前記ハウジング空気流入孔は、前記ハウジングの前面と後面の中、他の一面に形成されることを特徴とする、複数のリチウム２次電池単位セットを有する電池セット。
【請求項１６】
前記ハウジング空気流入孔は、複数設けられ、前記ハウジング空気流入孔のそれぞれは、前記リチウム２次電池単位セットの中、最前方に位置したリチウム２次電池単位セットのそれぞれの前方垂直板に形成された空気流通孔の前方に形成されて、
前記ハウジング空気流出孔は、複数設けられ、前記ハウジング空気流出孔のそれぞれは、前記リチウム２次電池単位セットの中、最後方に位置したリチウム２次電池単位セットのそれぞれの後方垂直板に形成された空気流通孔の後方に形成されることを特徴とする、請求項１５に記載の複数のリチウム２次電池単位セットを有する電池セット。
【発明の詳細な説明】
【技術分野】
【０００１】
本発明は、複数のリチウム２次電池が積層されてなるリチウム２次電池単位セット及び前記リチウム２次電池単位セットを複数含む電池セットに関し、パウチと電極タップから構成された多数のリチウム２次電池を収容及び保護することはもちろん、リチウム２次電池の積層構造が自由になるにつれて、電圧及び容量の変更が容易なリチウム２次電池の単位セット及び複数のリチウム２次電池単位セットを有する電池セットに関する。
【背景技術】
【０００２】
通常的に、１次電池とは違って充電及び放電が可能な２次電池は、デジタルカメラ、セルラーフォン、ノートブックコンピューター、ハイブリッド自動車など、尖端分野の開発で活発な研究が進行中である。２次電池としては、ニッケル−カドミウム電池、ニッケル−メタルハイブリッド電池、ニッケル−水素電池、リチウム２次電池が挙げられる。この中で、リチウム２次電池は、作動電圧が３．６Ｖ以上であり、携帯用電子機器の電源に使用されるか、または数個を直列連結して高出力のハイブリッド自動車に使用されるが、ニッケル−カドミウム電池や、ニッケル−メタルハイブリッド電池に比べ、作動電圧が３倍高く、単位重量当たりエネルギー密度の特性にも優れており、急速で使用が増加している趨勢である。
【０００３】
前記リチウム２次電池は、多様な形態で製造可能であるが、代表的な形状としては、リチウムイオン電池に主に使用される円筒形(cylinder type)及び角形(prismatic type)が挙げられる。最近脚光を浴びているリチウムポリマー電池は、柔軟性を有したパウチ型(pouched type)に製造されて、その形状が比較的自由である。また、リチウムポリマー電池は、安全性にも優れており、軽量で、携帯用電子機器のスリム化及び軽量化に有利である。
【０００４】
図１は、従来のパウチ型リチウム２次電池の構造を示した図面であって、従来のパウチ型リチウム２次電池５０は、電池部５１と、前記電池部５１が収容される空間１１を提供するケース１０を含んでいる。
【０００５】
前記電池部５１は、陽極板、セパレーター、陰極板の順に配置されて、一方向にワインディングされるか、多数枚の陽極板、セパレーター、陰極板が積層された形状である。前記電池部５１の各極板は、陽極及び陰極タップ５２ａ、５２ｂと電気的に連結されている。
【０００６】
前記陽極及び陰極タップ５２ａ、５２ｂの一端部は、ケース１０の密閉面１２を通じて外部に突出されている。突出された陽極及び陰極タップ５２ａ、５２ｂの一端部は、図示されていない保護回路基板の端子と接続される。
【０００７】
前記陽極及び陰極タップ５２ａ、５２ｂの外面には、これと密閉面１２が接触する部分で前記ケース１０と電極タップ５２ａ、５２ｂとの電気的短絡を防止するためにそれぞれの密閉テープ１３が巻かれている。
【０００８】
前記ケース１０は、厚膜の金素材で成形した円筒形や角形からなっているカン構造とは違って、中間層が金属ホイルであり、金属ホイルの両面に付着される内外皮層が絶縁性フィルムからなっているパウチ型ケースである。パウチ型ケースは、成形性に優れており、自由に折り曲げが可能である。前記ケース１０には、上述のように、電池部５１が収容可能な空間部１１が形成されており、前記空間部１１の縁部に沿って熱融着される面に提供する密閉面１２が形成されている。
【０００９】
図２は、図１のＡ−Ａの断面を示した図面であって、前記ケース１０は、金属ホイル、例えば、アルミニウムホイルからなる中間層と、前記中間層の内面及び外面に付着されて、前記中間層を保護する絶縁性フィルムからなる内皮層と外皮層からなる複合フィルムである。
【００１０】
前記ケース１０内に形成された空間１１には、陽極板５１ａ、セパレーター５１ｃ、陰極板５１ｂの順に配置された電池部５１が収容されており、前記陽極及び陰極板５１ａ、５１ｂからは陽極タップ５２ａと、陰極タップ５２ｂが引き出されている。引き出された電極タップ５２ａ、５２ｂの端部は、ケース１０の密閉面１２を通じて外部に露出しており、前記密閉面１２では、電極タップ５２ａ、５２ｂの外面に密閉テープ１３が巻かれている。
【００１１】
前記のような構造を有するパウチ型リチウム２次電池５０は、陽極板５１ａと陰極板５１ｂに陽極及び陰極タップ５２ａ、５２ｂを電気的に連結した後、陽極板５１ａ、セパレーター５１ｃ、陰極板５１ｂの順に配置した状態で一方向にワインディングし、電池部５１を完成するようになる。
【００１２】
完成された電池部５１は、ドローイング(drawing)工程を通じて、空間１１が備えられたケース１０内に実装されて、実装時、各電極タップ５２ａ、５２ｂの一端部は、ケース１０の外部に露出させる。このような状態で、前記ケース１０の密閉面１１に所定の熱と圧力を印加して熱融着し、パウチ型リチウム２次電池５０を完成するようになる。完成されたパウチ型リチウム２次電池５０は、電池構造を安定化させるために、充電、エージング、放電など、一連の化成又は形成工程(formation process)を経て、電池の異常有無を選別するようになる。
【００１３】
これと関連し、大韓民国特許公報２００５−０００５９４号は、パウチ型リチウム２次電池をケーシングする方法を開示している。上記文献のパウチ型リチウム２次電池は、ケースの金属層と陽極タップに同一な陽極電位を印加するにつれて、ケースの内皮層の破壊により陰極タップとケースの金属層との接触時、短絡を誘発させて、開路回路電圧差を容易に検出できる構造を有する。
【００１４】
一方、ハイブリッド自動車など、高出力のリチウム電池が要求される場合、図１及び図２に示されたパウチを数十〜数百個積層して、これを直列連結して高電圧を得るようになる。
【００１５】
このようなパウチ型リチウムポリマー電池は、容易に撓むか曲がるような弱いアルミニウムパウチから構成されており、長時間使用するためには、堅固なケース装置で保護しなければならないが、従来は、このような直列連結のために、各パウチの陽極タップ及び陰極タップを、回路パターンが形成されているＰＣＢ(Printed Circuit Board；印刷回路基板)により連結して、これをケースに入れる方式を使用した。
【００１６】
しかしながら、このような従来のリチウムポリマーパウチを積層して高出力リチウム電池を構成する方法によると、軟弱な構造のリチウムポリマーパウチを完全に保護することができなく、パウチを数個積層してＰＣＢで連結する方式も完全ではないため、外部衝撃などの環境変化に強くないという短所があった。
【００１７】
高出力電源に使用されるリチウム電池を構成するパウチユニットをより堅固で安定的に積層して、これらを信頼性あるように直列及び並列連結できる方法が要求される。
【発明の概要】
【発明が解決しようとする課題】
【００１８】
本発明は、上記の問題点を解決するために案出されたもので、本発明の目的は、多数のリチウム２次電池がより堅固で安定的に収容されるリチウム２次電池単位セットを提供することである。
【００１９】
本発明の他の目的は、多数のリチウム２次電池が別途の連結素子無しに直接接続されることはもちろん、相互接続されたリチウム２次電池の容量及び電圧の変更が自由な高出力リチウム２次電池単位セットを提供することである。
【００２０】
また、本発明のまた他の目的は、相互接続された多数のリチウム２次電池の充電及び放電時、過熱を防止できるリチウム２次電池単位セットを提供することである。
【００２１】
また、本発明のまた他の目的は、前記リチウム２次電池単位セットを複数含む電池セットを提供することである。
【課題を解決するための手段】
【００２２】
本発明は、左側エンドフレーム及び右側エンドフレームと、露出した第１タップ保持部が上端部に形成されて、前記第１タップ保持部の下方左側に左側が開放された左側収容部、及び下方右側に右側が開放された右側収容部が形成されて、前記左側エンドフレームと右側エンドフレームとの間に相互隣り合って設けられる複数のメインフレームと、露出した第２タップ保持部が上端部に形成されて、前記複数のメインフレームの中、隣り合う二つのメインフレームの左側メインフレームの右側収容部と右側メインフレームの左側収容部との間に設けられるように、左側が前記左側メインフレームに締結されて、右側が前記右側メインフレームに締結されるセンターフレームと、パウチの外周面（outer circumferential surface）の左側に折り曲げられた左側電極タップ及び右側に折り曲げられた右側電極タップがそれぞれ突設されて、前記それぞれのメインフレームの左側収容部に収容される第１タイプリチウム２次電池と、前記第１タイプリチウム２次電池の右側電極タップと対向する方向に、反対極性の左側電極タップが突設されて、前記第１タイプリチウム２次電池の左側電極タップと対向する方向に、反対極性の右側電極タップが突設され、前記それぞれのメインフレームの右側収容部に収容される第２タイプリチウム２次電池と、上部にボルトが突設される第１下部固定板と、前記第１下部固定板のボルトが貫通する第１上部固定板及び前記第１上部固定板を貫通した前記第１下部固定板のボルト端部に締結される第１締結具を備えて、前記第１タップ保持部に配置される第１締結手段と、上部にボルトが突設される第２下部固定板と、前記第２下部固定板のボルトが貫通する第２上部固定板及び前記第２上部固定板を貫通した前記第２下部固定板のボルト端部に締結される第２締結具を備えて、前記第２タップ保持部に配置される第２締結手段と、を含み、前記いずれかのメインフレームに収容された第１タイプリチウム２次電池の右側電極タップ及び第２タイプリチウム２次電池の左側電極タップは、前記第１締結手段により直列に通電可能に固定連結されて、前記隣り合うメインフレームの中、左側メインフレームに収容された第２タイプリチウム２次電池の右側電極タップ及び右側メインフレームに収容された第１タイプリチウム２次電池の左側電極タップは、前記第２締結手段により直列に通電可能に固定連結されることを特徴とする、リチウム２次電池単位セットに関する。
【００２３】
本発明において、前記それぞれのメインフレームの左側収容部には、前記第１タイプリチウム２次電池ｎ個が相互並列に通電するように収容されて、前記それぞれのメインフレームの右側収容部には、前記第２タイプリチウム２次電池ｎ個が相互並列に通電するように収容されるが、 前記それぞれのメインフレームの左側収容部に収容された前記ｎ個の第１タイプリチウム２次電池は、相互並列に通電するように、その左側電極タップ及び右側電極タップがそれぞれ上下に積層されて、前記それぞれのメインフレームの右側収容部に収容された前記ｎ個の第２タイプリチウム２次電池は、相互並列に通電されるように、その左側電極タップ及び右側電極タップがそれぞれ上下に積層される。ここで、ｎは、２以上の自然数である。
【００２４】
本発明において、前記左側エンドフレームは、露出した第３タップ保持部が上端部に形成されて、前記複数のメインフレームの中、左側端メインフレームの左側に締結されて、前記右側エンドフレームは、露出した第４タップ保持部が上端部に形成されて、前記複数のメインフレームの中、右側端メインフレームの右側に締結されて、前記第３タップ保持部には、上部にボルトが突設される第３下部固定板と、前記第３下部固定板のボルトが貫通する第３上部固定板及び前記第３上部固定板を貫通した前記第３下部固定板のボルト端部に締結される第３締結具を備える第３締結手段が配置されて、前記第４タップ保持部には、上部にボルトが突設される第４下部固定板と、前記第４下部固定板のボルトが貫通する第４上部固定板及び前記第４上部固定板を貫通した前記第４下部固定板のボルト端部に締結される第４締結具を備える第４締結手段が配置され、前記第３締結手段は、前記第３下部固定板と第３上部固定板との間に、前記複数のメインフレームの左側端メインフレームに収容された第１タイプリチウム２次電池の左側電極タップを固定させて、前記第４締結手段は、前記第４下部固定板と第４上部固定板との間に、前記複数のメインフレームの右側端メインフレームに収容された第２タイプリチウム２次電池の左側電極タップを固定させることができるが、前記第１上部固定板、第２上部固定板、第３上部固定板及び第４上部固定板には固定板コネクターがそれぞれ付着されて、前記それぞれの固定板コネクターには、電圧測定器に連結された電圧測定ライン側のコネクターが挿着されて、前記第３下部固定板と第３上部固定板との間には、前記第２タイプリチウム２次電池の右側電極タップと同一な材質のダミー(dummy)電極タップが固定されて、前記第４下部固定板と第４上部固定板との間には、前記第１タイプリチウム２次電池の左側電極タップと同一な材質のダミー(dummy)電極タップが固定される。
【００２５】
本発明は、前記それぞれの第１締結手段及び第２締結手段の上部に設けられる保護蓋を含み、前記それぞれのメインフレームの上端部には、前記第１タップ保持部の水平延長線上に前記保護蓋が締結される第１保護蓋固定部が上方に突設されて、前記それぞれのセンターフレームの上端部には、前記第２タップ保持部の水平延長線上に前記保護蓋が締結される第２保護蓋固定部が上方に突設される。
【００２６】
本発明において、前記それぞれのメインフレームは、一字形の底板と、前記底板の前方側端から上方に立てられて、中央部に空気流通孔が形成される前方垂直板と、前記底板の後方側端から上方に立てられて、中央部に空気流通孔が形成される後方垂直板と、前記前方垂直板の上方に位置して前方に突出される前方離隔突起と、前記後方垂直板の上方に位置して後方に突出される後方離隔突起とを含み、前記前方離隔突起及び後方離隔突起には、それぞれ一字形管(straight tube)が左右側方向に収容される収容溝(installing groove)が上端から引込み形成されるが、前記前方垂直板及び後方垂直板には、それぞれ左側端と右側端から引き込まれる左側溝及び右側溝が形成されて、前記センターフレームには、前方外側面から内側に引き込まれて、左側面及び右側面を貫通し、前記隣り合うメインフレームの左側メインフレームの前方垂直板の右側溝及び右側メインフレームの前方垂直板の左側溝が形成する貫通孔に連通される温度センサー前方挿着溝が形成されて、後方外側面から内側に引き込まれて、左側面及び右側面を貫通し、前記隣り合うメインフレームの左側メインフレームの後方垂直板の右側溝及び右側メインフレームの後方垂直板の左側溝が形成する貫通孔に連通される温度センサー後方挿着溝が形成される。
【００２７】
本発明において、前記前方離隔突起は、後端部に形成される小幅部と、小幅部に連接して左右側に突出し、前端部に形成される大幅部を含み、前記後方離隔突起は、前端部に形成される小幅部と、小幅部に連接して左右側に突出し、後端部に形成される大幅部を含むが、前記前方離隔突起の収容溝は、一部が前記前方離隔突起の小幅部に形成されて、その他は大幅部に形成され、前記後方離隔突起の収容溝は、一部が前記後方離隔突起の小幅部に形成されて、その他は大幅部に形成されて、温度測定器に連結された温度測定ラインの中、前記隣り合う二つのメインフレームの左側メインフレームの前方離隔突起の小幅部と右側フレームの前方離隔突起の小幅部が形成する隙間を通じて案内された温度測定ラインは、前記温度センサー前方挿着溝に挿着された温度センサーに連結されて、温度測定器に連結された温度測定ラインの中、前記隣り合う二つのメインフレームの左側メインフレームの後方離隔突起の小幅部と右側フレームの後方離隔突起の小幅部が形成する隙間を通じて案内された温度測定ラインは、前記温度センサー後方挿着溝に挿着された温度センサーに連結されて、前記隣り合う二つのメインフレームの左側メインフレームの前方離隔突起の小幅部と右側メインフレームの前方離隔突起の小幅部とが形成する隙間を通じて案内された電圧測定ラインは、第２締結手段に通電可能に連結されて、前記隣り合う二つのメインフレームの左側メインフレームの後方離隔突起の小幅部と右側メインフレームの後方離隔突起の小幅部とが形成する隙間を通じて案内された電圧測定ラインは、第１締結手段に通電可能に連結される。
【００２８】
本発明は、ハウジング空気流入孔及びハウジング空気流出孔が形成されて、前記リチウム２次電池単位セットを包み込むリチウム２次電池ハウジングを含み、前記ハウジング空気流入孔は、前記ハウジング内面と前記前方垂直板との間に形成される前方空気流通路の延長線上または前記ハウジング内面と前記後方垂直板との間に形成される後方空気流通路の延長線上の中、いずれか一つの延長線上に形成されて、前記ハウジング空気流出孔は、前記ハウジング内面と前記前方垂直板との間に形成される前方空気流通路の延長線上または前記ハウジング内面と前記後方垂直板との間に形成される後方空気流通路の延長線上の中、他の一つの延長線上に形成される。
【００２９】
一方、本発明は、前後に隣り合って設けられる前記複数のリチウム２次電池単位セットと、空気流入孔及びハウジング空気流出孔が形成されて、前記複数のリチウム２次電池単位セットを包み込むリチウム２次電池ハウジングと、を含み、隣り合う二つのリチウム２次電池単位セットは、前方リチウム２次電池単位セットの後方離隔突起の後端が後方リチウム２次電池単位セットの前方離隔突起先端と接触するように設けられて、前記リチウム２次電池ハウジングの空気流入孔及び空気流出孔は、ぞれぞれ前記ハウジング内面と、前記リチウム２次電池単位セットの中、最前方に位置したリチウム２次電池単位セットの前方垂直板との間に形成される前方空気流通路の延長線上、前記ハウジング内面と、前記リチウム２次電池単位セットの中、最後方に位置したリチウム２次電池単位セットの後方垂直板との間に形成される後方空気流通路の延長線上、及び前記隣り合う二つのリチウム２次電池単位セットの後方垂直板と前方垂直板との間に形成される中間空気流通路の延長線上の中、少なくともいずれか一つの延長線上に形成される複数のリチウム２次電池単位セットを有する電池セットに関する。
【発明の効果】
【００３０】
以上のように、本発明は、多数のリチウム２次電池をより堅固で安定的に連結することができ、それぞれのリチウム２次電池を、別の連結装置を利用することなく、直接連結させることができる長所がある。
【００３１】
また、本発明は、複数のリチウム２次電池の連結構造が自由になるにつれて、電圧及び容量の変更が容易になり、活用範囲が拡張される長所がある。
【００３２】
また、本発明は、放熱性に優れており、充電乃至放電時に発生される熱を最小化することにより、リチウム２次電池の損傷を未然に防止する作用効果がある。
【００３３】
また、本発明は、それぞれのメインフレームに収容される第１タイプリチウム２次電池及び第２タイプリチウム２次電池の電圧及び温度を測定することができる長所がある。
【図面の簡単な説明】
【００３４】
【図１】従来のリチウム２次電池を示した正面図である。
【図２】図１のＡ−Ａの断面を示した断面図である。
【図３】実施例１の左側エンドフレーム、メインフレーム、センターフレーム及び右側エンドフレームの分解斜視図である。
【図４】実施例１のメインフレームの斜視図である。
【図５】実施例１のメインフレームに形成される左側収容部及び右側収容部の概略図である。
【図６】実施例１のメインフレームに形成される左側収容部及び右側収容部の概略図である。
【図７】実施例１のセンターフレームが図示されていない状態における相互隣り合っている二つのメインフレームとメインフレームの設置状態図である。
【図８】実施例１の隣り合うメインフレーム、その間に設けられるセンターフレーム、隣り合うメインフレームの中、左側メインフレームに収容される第２タイプリチウム２次電池及び右側メインフレームに収容される第１タイプリチウム２次電池の分解斜視図である。
【図９】実施例１のメインフレーム及びメインフレームに収容されて固定される第１タイプリチウム２次電池及び第２タイプリチウム２次電池の分解斜視図である。
【図１０】実施例１のセンターフレーム及びセンターフレームに固定される第２タイプリチウム２次電池及び第２タイプリチウム２次電池の分解斜視図である。
【図１１】実施例１の右側エンドフレーム及び右側エンドフレームに固定される第２タイプリチウム２次電池の分解斜視図である。
【図１２】実施例１の左側エンドフレーム及び左側エンドフレームに固定される第１タイプリチウム２次電池の分解斜視図である。
【図１３】実施例１の保護蓋の背面斜視図である。
【図１４】実施例２のメインフレームに収容されるリチウム２次電池の分解斜視図である。
【図１５】実施例２のメインフレーム(１３０＋ｉ)に収容される第１タイプリチウム２次電池(３１０＋ｉ)の右側電極タップ(３１０＋ｒｔ)及び第２タイプリチウム２次電池(３２０＋ｉ)の左側電極タップ(３２０＋ｌｔ)の積層状態の正面図である。
【図１６】実施例２のメインフレーム(１３０＋ｉ)に収容される第１タイプリチウム２次電池(３１０＋ｉ)の右側電極タップ(３１０＋ｒｔ)及び第２タイプリチウム２次電池(３２０＋ｉ)の左側電極タップ(３２０＋ｌｔ)の締結状態の正面図である。
【図１７】実施例３の上部ハウジングが外された状態の斜視図である。
【図１８】実施例４のリチウム２次電池ハウジングの上部ハウジング６２０の斜視図である。
【図１９】実施例５のリチウム２次電池ハウジングの上部ハウジング６２０の斜視図である。
【図２０】実施例６の上部ハウジングが外された状態の斜視図である。
【図２１】実施例６の通風経路の概略図である。
【図２２】(ａ)は、実施例７の上部ハウジングの斜視図であり、(ｂ)は、実施例７の通風経路の概略図である。
【図２３】(ａ)は、実施例８の上部ハウジングの斜視図であり、(ｂ)は、実施例８の通風経路の概略図である。
【図２４】(ａ)は、実施例９の上部ハウジングの斜視図であり、(ｂ)は、実施例９の通風経路の概略図である。
【符号の説明】
【００３５】
１１０    左側エンドフレーム
１１０−６    前方離隔突起
１１０−７    後方離隔突起
１１０−１０    バスバー(bus bar)案内管
１１０−１２    下部前方結合突起
１１０−１３    下部後方結合突起
１２０    右側エンドフレーム
１２０−２ｇ    温度センサー前方挿着溝
１２０−３ｇ    温度センサー後方挿着溝
１２０−１２    下部前方結合突起
１２０−１２ｐ    中空締結突起
１２０−１３    下部後方結合突起
１２０−１３ｐ    中空締結突起
１２０−６    前方結合突起
１２０−６ｐ    中空締結突起
１２０−６ｇ    収容溝
１２０−６ｓ    小幅部
１２０−６ｌ    大幅部
１２０−６ｓｌ    左側突出部
１２０−７    後方結合突起
１２０−７ｐ    中空締結突起
１２０−７ｇ    収容溝
１２０−７ｓ    小幅部
１２０−７ｌ    大幅部
１２０−７ｓｌ    左側突出部
１２０−８    第４タップ保持部
１２０−８ｐ    ガイド突起
１２０−９    第４仮想タップ保持部
１２０−９ｐ    仮想ガイド突起
１２０−１０    バスバー(bus bar)案内管
１３０＋１、．．．、１３０＋ｒ、１３０＋(ｒ＋１)、．．．、１３０＋ｎ    メインフレーム
１３０＋ｒ    左側メインフレーム
１３０＋(ｒ＋１)  右側メインフレーム
１３０−１    底板
１３０−２    前方垂直板
１３０−２ｈ    空気流通孔
１３０−２ｌｇ    左側溝
１３０−２ｒｇ    右側溝
１３０−３    後方垂直板
１３０−３ｈ    空気流通孔
１３０−３ｒｇ    右側溝
１３０−３ｌｇ    左側溝
１３０−５    後方垂直保持台
１３０−５    空気流通孔
１３０−６    前方離隔突起
１３０−６ｇ    収容溝
１３０−６ｓ    小幅部
１３０−６ｌ    大幅部
１３０−６ｈ    締結孔
１３０−７    後方離隔突起
１３０−７ｇ    収容溝
１３０−７ｓ    小幅部
１３０−７ｌ    大幅部
１３０−７ｈ    締結孔
１３０−８    第１タップ保持部
１３０−８Ｐ    ガイド突起
１３０−９    保護蓋固定部
１３０−９ｈ    締結孔
１３０−１０    バスバー(bus bar)案内管
１３０−１２    下部前方結合突起
１３０−１２ｈ    締結孔
１３０−１３    下部後方結合突起
１３０−１３ｈ    締結孔
ＬＳ    左側収容部
ＲＳ    右側収容部
２３０＋ｒ    センターフレーム
２３０−２ｇ    温度センサー前方挿着溝
２３０−３ｇ    温度センサー後方挿着溝
２３０−６    上部前方結合突起
２３０−６ｐ    中空締結突起
２３０−７    上部後方結合突起
２３０−７ｐ    中空締結突起
２３０−８    第２タップ保持部
２３０−８Ｐ    配置溝
２３０−９    第２保護蓋固定部
２３０−９ｈ    締結孔
２３０−１０    バスバー(bus bar)案内管
２３０−１２    下部前方結合突起
２３０−１２ｐ    中空締結突起
２３０−１３    下部後方結合突起
２３０−１３ｐ    中空締結突起
ｆｈ    前方貫通孔
１３０−６ｔｌ    第１隙間
３１０＋ｉ    第１タイプリチウム２次電池
３１０＋(ｒ＋１)    第１タイプリチウム２次電池
３１０−ＬＴ    左側電極タップ
３１０−ｌｔｈ    締結溝
３１０−ＲＴ    右側電極タップ
３１０−ｒｔｈ    締結溝
３２０＋ｉ    第２タイプリチウム２次電池
３２０＋ｒ    第２タイプリチウム２次電池
３２０−ＬＴ    左側電極タップ
３２０−ｌｔｈ    締結溝
３２０−ＲＴ    右側電極タップ
３２０−ｒｔｈ    締結溝
４１０＋ｉ    第１締結手段
４１０−ｌ    第１下部固定板
４１０−２    第１上部固定板
４１０−２ｃ    固定板コネクター
４１０−３    第１締結具
４２０＋ｒ    第２締結手段
４２０−ｌ    第２下部固定板
４２０−２    第２上部固定板
４２０−２ｃ    固定板コネクター
４２０−３    第２締結具
４３０    第３締結手段
４３０−ｌ    第３下部固定板
４３０−２    第３上部固定板
４３０−２ｃ    固定板コネクター
４３０−３    第３締結具
４３０−ｄｔ    ダミー(dummy)電極タップ
４４０    第４締結手段
４４０−ｌ    第４下部固定板
４４０−２    第４上部固定板
４４０−２ｃ    固定板コネクター
４４０−３    第４締結具
４４０−ｄｔ    ダミー(dummy)電極タップ
５００    保護蓋
５１０    第１保護蓋部
５１２    第１締結板
５１２−１    支持台
５１２−３    締結突起
５２０    第２保護蓋部
５２２    第２締結板
５２２−１    支持台
５２２−３    締結突起
６１０    下部ハウジング
６２０    上部ハウジング
６２２    ハウジング空気流入孔
６２４    ハウジング空気流出孔
１０００＋ｆ    前方リチウム２次電池単位セット
１０００＋ｒ    後方リチウム２次電池単位セット
１００２    中央空気流通路
１００４−ｆ    前方空気流通路
１００４−ｒ    後方空気流通路
１６１０    下部ハウジング
１６２０    上部ハウジング
１６２２    ハウジング空気流入孔
１６２４    ハウジング空気流出孔
１６２４−ｆ、１６２４−ｒ    ハウジング空気流出孔
【発明を実施するための形態】
【００３６】
(実施例１)
実施例１は、本発明によるリチウム２次電池単位セット(set)に関する。
【００３７】
図３は、実施例１の左側エンドフレーム、メインフレーム、センターフレーム及び右側エンドフレームの分解斜視図を示す。
【００３８】
図３を参照すると、実施例１は、左側エンドフレーム１１０、右側エンドフレーム１２０及び複数のメインフレーム１３０＋１、．．．、１３０＋ｒ、１３０＋(ｒ＋１)、．．．、１３０＋ｎを有する。複数のメインフレーム１３０＋１、．．．、１３０＋ｒ、１３０＋(ｒ＋１)、．．．、１３０＋ｎは、左側エンドフレーム１１０、右側エンドフレーム１２０間に相互隣り合って設けられて、隣り合って設けられる任意の二つのメインフレーム１３０＋ｒ、１３０＋(ｒ＋１)間には、センターフレーム２３０＋ｒが設けられる。ここで、ｒは、１から(ｎ−１)までの任意の自然数である。以下、同一である。
【００３９】
図４は、実施例１のメインフレームの斜視図を示す。
【００４０】
図４を参照すると、任意のメインフレーム１３０＋ｉは、一字形の底板１３０−１を有する。ここで、ｉは、１からｎまでの任意の自然数である。以下、同一である。
【００４１】
図４を参照すると、底板１３０−１の前方側端には、上方に前方垂直板１３０−２が立てられる。前方垂直板１３０−２は、中央部に空気流通孔１３０−２ｈが形成されて、左側端と右側端から中央部側に引き込まれる左側溝１３０−２ｌｇ及び右側溝１３０−２ｒｇが形成される。左側溝１３０−２ｌｇ及び右側溝１３０−２ｒｇは、中央部を中心に相互対向する位置に形成される。
【００４２】
図４を参照すると、底板１３０−１の後方側端には、上方に後方垂直板１３０−３が立てられる。後方垂直板１３０−３は、中央部に空気流通孔(図示せず)が形成されて、左側端と右側端から中央部側に引き込まれる左側溝１３０−３ｌｇ及び右側溝(図示せず)が形成される。後方垂直板１３０−３の内側面には、後方垂直保持台１３０−５が立てられる。後方垂直保持台１３０−５には、後方垂直板１３０−３の中央部に形成された空気流通孔(図示せず)と連通する空気流通孔１３０−５ｈが形成される。図４には示されていないが、後方垂直板１３０−３と同様に、前方垂直板１３０−２の内側面には、前方垂直保持台(図示せず)が立てられる。前方垂直保持台(図示せず)には、前方垂直板１３０−２の中央部に形成された空気流通孔(１３０−２ｈ)と連通する空気流通孔(図示せず)が形成される。
【００４３】
図４を参照すると、前方垂直板１３０−２の上方には、前方に前方離隔突起１３０−６が突設される。前方離隔突起１３０−６には、一字形管(図示せず)が左右側方向に収容される収容溝１３０−６ｇが上端から引き込まれて形成される。前方離隔突起１３０−６は、後端部に形成される小幅部１３０−６ｓと、小幅部１３０−６ｓに連接して形成される大幅部１３０−６ｌとからなり、大幅部１３０−６ｌは、小幅部１３０−６ｓの左右側に突出して、小幅部１３０−６ｓより大きい幅を有する。前方離隔突起１３０−６の収容溝１３０−６ｇは、一部が前方離隔突起１３０−６の小幅部１３０−６ｓに形成されて、その他は、前方離隔突起１３０−６の大幅部１３０−６ｌに形成される。前方離隔突起１３０−６の小幅部１３０−６ｓには、左右側を貫通する締結孔１３０−６ｈが形成される。
【００４４】
図４を参照すると、後方垂直板１３０−３の上方には、後方に後方離隔突起１３０−７が突設される。後方離隔突起１３０−７には、一字形管(図示せず)が左右側方向に収容（安置）される収容溝（安置溝）１３０−７ｇが上端から引き込まれて形成される。後方離隔突起１３０−７は、前端部に形成される小幅部１３０−７ｓと、小幅部１３０−７ｓに連接して形成される大幅部１３０−７ｌとからなり、大幅部１３０−７ｌは、小幅部１３０−７ｓの左右側に突出して、小幅部１３０−７ｓより大きい幅を有する。後方離隔突起１３０−７の収容溝１３０−７ｇは、一部が後方離隔突起１３０−７の小幅部１３０−７ｓに形成されて、その他は、後方離隔突起１３０−７の大幅部１３０−７ｌに形成される。後方離隔突起１３０−７の小幅部１３０−７ｓには、左右側を貫通する締結孔１３０−７ｈが形成される。
【００４５】
図４を参照すると、メインフレーム１３０＋ｉの上端部には、露出した第１タップ保持部１３０−８が形成される。第１タップ保持部１３０−８は、一字形の板形状に形成されるが、第１タップ保持部１３０−８の前方側端及び後方側端には、それぞれガイド突起１３０−８ｐが突設される。
【００４６】
図４を参照すると、メインフレーム１３０＋ｉの上端部には、第１保護蓋固定部１３０−９が形成される。第１保護蓋固定部１３０−９は、第１タップ保持部１３０−８の水平延長線上の上部に突設される。第１保護蓋固定部１３０−９には、締結孔１３０−９ｈが形成される。一方、第１タップ保持部１３０−８と第１保護蓋固定部１３０−９との間には、バスバー(bus bar)を案内する‘Ｕ’字形のバスバー案内管１３０−１０が形成される。バスバー案内管１３０−１０を基準に第１タップ保持部１３０−８は、後方離隔突起１３０−７側に形成されて、第１保護蓋固定部１３０−９は、前方離隔突起１３０−６側に形成される。
【００４７】
図４を参照すると、前方垂直板１３０−２には、下部前方結合突起１３０−１２が前方に突設される。下部前方結合突起１３０−１２には、左右側を貫通する締結孔１３０−１２ｈが形成される。
【００４８】
図４を参照すると、後方垂直板１３０−３には、下部後方結合突起１３０−１３が後方に突設される。下部後方結合突起１３０−１３には、左右側を貫通する締結孔１３０−１３ｈが形成される。
【００４９】
図５及び図６は、実施例１のメインフレームに形成される左側収容部及び右側収容部の概略図を示す。
【００５０】
図５を参照すると、メインフレーム１３０＋ｉの第１タップ保持部１３０−８及び第１保護蓋固定部１３０−９の下方左側には、左側が開放された左側収容部ＬＳが形成されて、図６を参照すると、メインフレーム１３０＋ｉの第１タップ保持部１３０−８及び第１保護蓋固定部１３０−９の下方右側には、右側が開放された右側収容部ＲＳが形成される。
【００５１】
図７は、実施例１のセンターフレーム２３０＋ｒ(図３参照)が図示されていない状態における相互隣り合っている二つのメインフレーム１３０＋ｒとメインフレーム１３０＋(ｒ＋１)の設置状態図を示す。
【００５２】
図７を参照すると、左側メインフレーム１３０＋ｒの大幅部１３０−６ｌ右側面と右側メインフレーム１３０＋(ｒ＋１)の大幅部１３０−６ｌ左側面は、相互接触するように設けられて、したがって、左側メインフレーム１３０＋ｒの小幅部１３０−６ｓ右側面と右側メインフレーム１３０＋(ｒ＋１)の小幅部１３０−６ｓ左側面との間には隙間が形成される。
【００５３】
図７を参照すると、同様に、左側メインフレーム１３０＋ｒの大幅部１３０−７ｌ右側面と右側メインフレーム１３０＋(ｒ＋１)の大幅部１３０−７ｌ左側面は、相互接触するように設けられて、したがって、左側メインフレーム１３０＋ｒの小幅部１３０−７ｓ右側面と右側メインフレーム１３０＋(ｒ＋１)の小幅部１３０−７ｓ左側面との間には隙間が形成される。
【００５４】
図８は、実施例１の隣り合うメインフレーム、その間に設けられるセンターフレーム、隣り合うメインフレームの中、左側メインフレームに収容される第２タイプリチウム２次電池及び右側メインフレームに収容される第１タイプリチウム２次電池の分解斜視図を示す。
【００５５】
図８を参照すると、センターフレーム２３０＋ｒの上端縁には、上部前方結合突起２３０−６及び上部後方結合突起２３０−７が突設される。上部前方結合突起２３０−６及び上部後方結合突起２３０−７には、左右側面を貫通する中空軸形状の中空締結突起２３０−６ｐ、２３０−７ｐがそれぞれ左右側に突設される。中空締結突起２３０−６ｐは、左側端が左側メインフレーム１３０＋ｒの締結孔１３０−６ｈ右側に締結されるように形成されて、右側端が右側メインフレーム１３０＋(ｒ＋１)の締結孔１３０−６ｈ左側に締結されるように形成される。同様に、中空締結突起２３０−７ｐは、左側端が左側メインフレーム１３０＋ｒの締結孔１３０−７ｈ右側に締結されるように形成されて、右側端が右側メインフレーム１３０＋(ｒ＋１)の締結孔１３０−７ｈ左側に締結されるように形成される。
【００５６】
図８を参照すると、センターフレーム２３０＋ｒの上端部には、露出した第２保持部２３０−８が形成される。第２タップ保持部２３０−８は、一字形の板形状に形成されるが、第２タップ保持部２３０−８の前方側端及び後方側端には、それぞれガイド突起２３０−８ｐが突設される。
【００５７】
図８を参照すると、センターフレーム２３０＋ｒの上端部には、第２保護蓋固定部２３０−９が形成される。第２保護蓋固定部２３０−９は、第２タップ保持部２３０−８の水平延長線上の上部に突設される。第２保護蓋固定部２３０−９には、締結孔２３０−９ｈが形成される。一方、第２タップ保持部２３０−８と第２保護蓋固定部２３０−９との間には、バスバー(bus bar)を案内する‘Ｕ’字形のバスバー案内管２３０−１０が形成される。バスバー案内管２３０−１０を基準に第２タップ保持部２３０−８は、上部前方結合突起２３０−６側に形成されて、第２保護蓋固定部２３０−９は、上部後方結合突起２３０−７側に形成される。
【００５８】
図８を参照すると、センターフレーム２３０＋ｒの前方外側面の下端には、下部前方結合突起２３０−１２が前方に突設されて、センターフレーム２３０＋ｒの後方外側面の下端には、下部後方結合突起２３０−１３が後方に突設される。下部前方結合突起２３０−１２及び下部後方結合突起２３０−１３には、左右側を貫通する中空軸形状の中空締結突起２３０−１２ｐ、２３０−１３ｐがそれぞれ左右側に突設される。中空締結突起２３０−１２ｐは、左側端が左側メインフレーム１３０＋ｒの締結孔１３０−１２ｈ右側に締結されるように形成されて、右側端が右側メインフレーム１３０＋(ｒ＋１)の締結孔１３０−１２ｈ左側に締結されるように形成される。同様に、中空締結突起２３０−１３ｐは、左側端が左側メインフレーム１３０＋ｒの締結孔１３０−１３ｈ右側に締結されるように形成されて、右側端が右側メインフレーム１３０＋(ｒ＋１)の締結孔１３０−１３ｈ左側に締結されるように形成される。
【００５９】
図８を参照すると、センターフレーム２３０＋ｒには、温度センサー前方挿着溝２３０−２ｇ及び温度センサー後方挿着溝２３０−３ｇが形成される。温度センサー前方挿着溝２３０−２ｇは、センターフレーム２３０＋ｒの前方外側面から内側に引き込まれて、左側面及び右側面を貫通するように形成されて、温度センサー後方挿着溝２３０−３ｇは、センターフレーム２３０＋ｒの後方外側面から内側に引き込まれて、左側面及び右側面を貫通するように形成される。図７を一緒に参照すると、温度センサー前方挿着溝２３０−２ｇは、左側メインフレーム１３０＋ｒの前方垂直板の右側溝１３０−２ｒｇ及び右側メインフレーム１３０＋(ｒ＋１)の前方垂直板の左側溝１３０−２ｌｇが形成する前方貫通孔ｆｈに連通される。前記前方貫通孔ｆｈには、前方温度センサー(図示せず)が挿着される。同様に、図７を一緒に参照すると、温度センサー後方挿着溝２３０−３ｇは、左側メインフレーム１３０＋ｒの後方垂直板の右側溝１３０−３ｒｇ及び右側メインフレーム１３０＋(ｒ＋１)の後方垂直板の左側溝１３０−３ｌｇが形成する後方貫通孔ｒｈに連通される。前記後方貫通孔ｒｈには、後方温度センサー(図示せず)が挿着される。
【００６０】
図７を参照すると、前記前方貫通孔ｆｈに挿着された前方温度センサー(図示せず)に連結された温度測定ライン(図示せず)は、第１隙間１３０−６ｔ１を通じて案内されて、メインフレーム１３０＋１、．．．、１３０＋ｒ、１３０＋(ｒ＋１)、．．．、１３０＋ｎの収容溝１３０−６ｇに収容される一字形の案内管(図示せず)に引き込まれる。第１隙間１３０−６ｔ１は、左側メインフレーム１３０＋ｒの小幅部１３０−６ｓと右側メインフレーム１３０＋(ｒ＋１)の小幅部１３０−６ｓが形成する隙間の中、左側メインフレーム１３０＋ｒの収容溝１３０−６ｇと右側メインフレーム１３０＋(ｒ＋１)の収容溝１３０−６ｇとの間に形成される隙間である。同様に、前記後方貫通孔ｒｈに挿着された後方温度センサー(図示せず)に連結された温度測定ライン(図示せず)は、第１隙間(図示せず)を通じて案内されて、メインフレーム１３０＋１、．．．、１３０＋ｒ、１３０＋(ｒ＋１)、．．．、１３０＋ｎの収容溝１３０−７ｇに収容される一字形の案内管(図示せず)に引き込まれる。前記第１隙間(図示せず)は、左側メインフレーム１３０＋ｒの小幅部１３０−７ｓと右側メインフレーム１３０＋(ｒ＋１)の小幅部１３０−７ｓが形成する隙間の中、左側メインフレーム１３０＋ｒの収容溝１３０−７ｇと右側メインフレーム１３０＋(ｒ＋１)の収容溝１３０−７ｇとの間に形成される隙間である。
【００６１】
図９は、実施例１のメインフレーム及びメインフレームに収容されて固定される第１タイプリチウム２次電池及び第２タイプリチウム２次電池の分解斜視図を示す。
【００６２】
図９及び図５を参照すると、第１タイプリチウム２次電池３１０＋ｉは、メインフレーム１３０＋ｉの左側収容部ＬＳに収容される。ここでｉは、１からｎまでの自然数である。以下、同一である。第１タイプリチウム２次電池３１０＋ｉは、左側電極タップ３１０−ｌｔ及び右側電極タップ３１０−ｒｔを有するが、左側電極タップ３１０−ｌｔは、パウチ(図面符号無し)の回り面の左側に突出するように、パウチ(図面符号無し)の左側に折り曲げられて形成されて、右側電極タップ３１０−ｒｔは、パウチ(図面符号無し)の回り面の右側に突出するように、パウチ(図面符号無し)の右側に折り曲げられて形成される。左側電極タップ３１０−ｌｔは、陽極タップまたは陰極タップであり、右側電極タップ３１０−ｒｔは、左側電極タップ３１０−ｌｔと反対極性の電極タップである。左側電極タップ３１０−ｌｔ及び右側電極タップ３１０−ｒｔには、それぞれ締結溝３１０−ｌｔｈ、３１−ｒｔｈが形成される。一方、実施例１の左側電極タップ３１０−ｌｔ及び右側電極タップ３１０−ｒｔには、それぞれ締結溝３１０−ｌｔｈ、３１０−ｒｔｈの代わりに、締結孔(図示せず)が形成される。
【００６３】
図９及び図６を参照すると、第２タイプリチウム２次電池３２０＋ｉは、メインフレーム１３０＋ｉの右側収容部ＲＳに収容される。ここでｉは、１からｎまでの自然数である。以下、同一である。第２タイプリチウム２次電池３２０＋ｉは、左側電極タップ３２０−ｌｔ及び右側電極タップ３２０−ｒｔを有するが、左側電極タップ３２０−ｌｔは、パウチ(図面符号無し)の回り面の左側に突出するように、パウチ(図面符号無し)の左側に折り曲げられて形成されて、右側電極タップ３２０−ｒｔは、パウチ(図面符号無し)の回り面の右側に突出されるように、パウチ(図面符号無し)の右側に折り曲げられて形成される。第２タイプリチウム２次電池３２０＋ｉの左側電極タップ３２０−ｌｔは、第１タイプリチウム２次電池３１０＋ｉの右側電極タップ３１０−ｒｔと対向する方向に突設されるが、第１タイプリチウム２次電池３１０＋ｉの右側電極タップ３１０−ｒｔと反対極性の電極タップである。第２タイプリチウム２次電池３２０＋の右側電極タップ３２０−ｒｔは、第１タイプリチウム２次電池３１０＋ｉの左側電極タップ３１０−ｌｔと対向する方向に突設されるが、第１タイプリチウム２次電池３１０＋ｉの左側電極タップ３１０−ｌｔと反対極性の電極タップである。左側電極タップ３２０−ｌｔ及び右側電極タップ３２０−ｒｔには、それぞれ締結溝３２０−ｌｔｈ、３２０−ｒｔｈが形成される。一方、実施例１の左側電極タップ３２０−ｌｔ及び右側電極タップ３２０−ｒｔには、それぞれ締結溝３２０−ｌｔｈ、３２０−ｒｔｈの代わりに、締結孔(図示せず)が形成され得る。
【００６４】
図９を参照すると、メインフレーム１３０＋ｉに収容された第１タイプリチウム２次電池３１０＋ｉの右側電極タップ３１０−ｒｔとメインフレーム１３０＋ｉに収容された第２タイプリチウム２次電池３２０＋ｉの左側電極タップ３２０−ｌｔは、第１締結手段４１０＋ｉにより直列に通電可能に連結される。
【００６５】
図９を参照すると、第１締結手段４１０＋ｉは、第１下部固定板４１０−１、第１上部固定板４１０−２及び第１締結具４１０−３を有する。第１下部固定板４１０−１、第１上部固定板４１０−２及び第１締結具４１０−３は、それぞれ導体でよい。第１下部固定板４１０−１は、メインフレーム１３０＋ｉの第１タップ保持部１３０−８に配置されて、ガイド突起１３０−８ｐに嵌合される結合溝（coupling groove）４１０−１ｈが形成される。第１下部固定板４１０−１には、ボルト(図面符号無し)が上方に突設される。第１上部固定板４１０−２には、第１下部固定板４１０−１のボルト(図面符号無し)が貫通される貫通溝(図面符号無し)が形成される。第１上部固定板４１０−２には、固定板コネクター４１０−２ｃが付着される。
【００６６】
図９を参照すると、第１締結具４１０−３は、第１下部固定板４１０−１のボルト(図面符号無し)端部に結合される。第１タイプリチウム２次電池３１０＋ｉの右側電極タップ３１０−ｒｔと第２タイプリチウム２次電池３２０＋ｉの左側電極タップ３２０−ｌｔは、それぞれ第１下部固定板４１０−１と第１上部固定板４１０−２との間に挟まれて、第１締結具４１０−３により相互通電可能に締結される。この際、第１タイプリチウム２次電池３１０＋ｉの右側電極タップ３１０−ｒｔと第２タイプリチウム２次電池３２０＋ｉの左側電極タップ３２０−ｌｔは、上下に積層されて、第１タイプリチウム２次電池３１０＋ｉの締結溝３１０−ｒｔｈ及び第２タイプリチウム２次電池３２０＋ｉの締結溝３２０−ｌｔｈがそれぞれ第１下部固定板４１０−ｌのボルト(図面符号無し)を囲むようになる。したがって、第１タイプリチウム２次電池３１０＋ｉの右側電極タップ３１０−ｒｔと第２タイプリチウム２次電池３２０＋ｉの左側電極タップ３２０−ｌｔとの間の接触面積が増加して通電状態が良好になり、締結力が大きくなって離脱が防止される。
【００６７】
図９を参照すると、固定板コネクター４１０−２ｃは、第１上部固定板４１０−２に付着されて、メインフレーム１３０＋ｉに収容された第１タイプリチウム２次電池３１０＋ｉの右側電極タップ３１０−ｒｔ及びメインフレーム１３０＋ｉに収容された第２タイプリチウム２次電池３２０＋ｉの左側電極タップ３２０−ｌｔと電気的に通電されるように連結される。固定板コネクター４１０−２ｃには、電圧測定器(図示せず)に連結されたｉ番目の後方電圧測定ライン(図示せず)側のコネクター(図示せず)が挿着される。ｉ＝ｒの場合、図７を一緒に参照すると、ｒ番目の後方電圧測定ライン(図示せず)は、左側メインフレーム１３０＋ｒの小幅部１３０−７ｓと右側メインフレーム１３０＋(ｒ＋１)の小幅部１３０−７ｓが形成する第２隙間１３０−７ｔ２を通じて第１締結手段４１０＋ｉ(図９参照)の固定板コネクター４１０−２ｃ(図９参照)側に案内される。
【００６８】
図１０は、実施例１のセンターフレーム及びセンターフレームに固定される第２タイプリチウム２次電池及び第２タイプリチウム２次電池の分解斜視図を示す。
【００６９】
図１０を参照すると、左側メインフレーム１３０＋ｒに収容された第２タイプリチウム２次電池３２０＋ｒの右側電極タップ３２０−ｒｔと右側メインフレーム１３０＋(ｒ＋１)に収容された第１タイプリチウム２次電池３１０＋(ｒ＋１)の左側電極タップ３１０−ｌｔは、第２締結手段４２０＋ｒにより直列に通電可能に連結される。
【００７０】
図１０を参照すると、第２締結手段４２０＋ｒは、第２下部固定板４２０−１、第２上部固定板４２０−２及び第２締結具４２０−３を有する。第２下部固定板４２０−１、第２上部固定板４２０−２及び第２締結具４２０−３は、それぞれ導体でよい。第２下部固定板４２０−１は、センターフレーム２３０＋ｒの第２タップ保持部２３０−８に配置されて、ガイド突起２３０−８ｐに嵌合される結合溝４２０−１ｈが形成される。第２下部固定板４２０−１には、ボルト(図面符号無し)が上方に突設される。第２上部固定板４２０−２には、第２下部固定板４２０−１のボルト(図面符号無し)が貫通される貫通溝(図面符号無し)が形成される。第２上部固定板４２０−２には、固定板コネクター４２０−２ｃが付着される。
【００７１】
図１０を参照すると、第２締結具４２０−３は、第２下部固定板４２０−１のボルト(図面符号無し)端部に結合される。第２タイプリチウム２次電池３２０＋ｒの右側電極タップ３２０−ｒｔと第１タイプリチウム２次電池３１０＋(ｒ＋１)の左側電極タップ３１０−ｌｔは、それぞれ第２下部固定板４２０−１と第２上部固定板４２０−２との間に挟まれて、第２締結具４２０−３により相互通電可能に締結される。この際、第２タイプリチウム２次電池３２０＋ｒの右側電極タップ３２０−ｒｔと第１タイプリチウム２次電池３１０＋(ｒ＋１)の左側電極タップ３１０−ｌｔは、相互積層されて、第２タイプリチウム２次電池３２０＋ｒの締結溝３２０−ｒｔｈ及び第１タイプリチウム２次電池３１０＋(ｒ＋１)の締結溝３１０−ｌｔｈがそれぞれ第２下部固定板４２０−ｌのボルト(図面符号無し)を囲むようになる。したがって、第２タイプリチウム２次電池３２０＋ｒの右側電極タップ３２０−ｒｔと第１タイプリチウム２次電池３１０＋(ｒ＋１)の左側電極タップ３１０−ｌｔとの間の接触面積が増加して通電状態が良好になり、締結力が大きくなって離脱が防止される。
【００７２】
図１０を参照すると、固定板コネクター４２０−２ｃは、第２上部固定板４２０−２に付着されて、左側メインフレーム１３０＋ｒに収容された第２タイプリチウム２次電池３２０＋ｒの右側電極タップ３２０−ｒｔ及び右側メインフレーム１３０＋(ｒ＋１)に収容された第１タイプリチウム２次電池３１０＋(ｒ＋１)の左側電極タップ３１０−ｌｔと電気的に通電されるように連結される。固定板コネクター４２０−２ｃには、電圧測定器(図示せず)に連結されたｒ番目の前方電圧測定ライン(図示せず)側のコネクター(図示せず)が挿着される。図７を一緒に参照すると、ｒ番目の前方電圧測定ライン(図示せず)は、左側メインフレーム１３０＋ｒの小幅部１３０−６ｓと右側メインフレーム１３０＋(ｒ＋１)の小幅部１３０−６ｓが形成する第２隙間１３０−６ｔ２を通じて第２締結手段４２０＋ｒの固定板コネクター４２０−２ｃ側に案内される。
【００７３】
図１１は、実施例１の右側エンドフレーム及び右側エンドフレームに固定される第２タイプリチウム２次電池の分解斜視図である
【００７４】
図１１を参照すると、右側エンドフレーム１２０の上端部には、露出した第４タップ保持部１２０−８が形成される。第４タップ保持部１２０−８は、一字形の板形状に形成されるが、第４タップ保持部１２０−８の前方側端及び後方側端には、それぞれガイド突起１２０−８ｐが突設される。
【００７５】
図１１を参照すると、右側エンドフレーム１２０の上端部には、第４タップ保持部１２０−８と同一な形態の第４仮想タップ保持部１２０−９が形成される。したがって、第４仮想タップ保持部１２０−９の前方側端及び後方側端には、それぞれ仮想ガイド突起１２０−９ｐが突設される。第４仮想タップ保持部１２０−９は、第４タップ保持部１２０−８の水平延長線上に形成される。
【００７６】
図１１を参照すると、第４タップ保持部１２０−８と第４仮想タップ保持部１２０−９との間には、バスバーを案内する‘Ｕ’字形のバスバー案内管１２０−１０が形成される。バスバー案内管１２０−１０を基準に、第４タップ保持部１２０−８は、前方に形成されて、第４仮想タップ保持部１２０−９は、後方に形成される。
【００７７】
図１１を参照すると、第４タップ保持部１２０−８の前方側端には、先端部が前方に突出する前方離隔突起１２０−６が形成される。前方離隔突起１２０−６には、一字形管が左右側方向に収容される収容溝１２０−６ｇが上端から引き込まれて形成される。前方離隔突起１２０−６は、後端部に形成される小幅部１２０−６ｓと、小幅部１２０−６ｓに連接して形成される大幅部１２０−６ｌと、小幅部１２０−６ｓの左側端下部に大幅部１２０−６ｌと離隔されて左側に突設される左側突出部１２０−６ｓｌとからなる。大幅部１３０−６ｌは、小幅部１３０−６ｓの左側に突出して小幅部１２０−６ｓより大きい幅を有して、大幅部１２０−６ｌの左側端と左側突出部１２０−６ｓｌの左側端は、同一平面上に位置する。前方離隔突起１２０−６の収容溝１２０−６ｇは、一部が前方離隔突起１２０−６の小幅部１２０−６ｓに形成されて、その他は、前方離隔突起１２０−６の大幅部１２０−６ｌに形成される。前方離隔突起１２０−６には、小幅部１２０−６ｓ及び左側突出部１２０−６ｓｌの左右側を貫通し、左側突出部１２０−６ｓｌの左側に突出する中空軸形状の中空締結突起１２０−６ｐが形成される。
【００７８】
図１１を参照すると、第４仮想タップ保持部１２０−９の後方側端には、後端部が後方に突出される後方離隔突起１２０−７が形成される。後方離隔突起１２０−７には、一字形管が左右側方向に収容される収容溝１２０−７ｇが上端から引き込まれて形成される。後方離隔突起１２０−７は、前端部に形成される小幅部１２０−７ｓと、小幅部１２０−７ｓに連接して形成される大幅部１２０−７ｌと、小幅部１２０−７ｓの左側端下部に大幅部１２０−７ｌと離隔されて左側に突設される左側突出部１２０−７ｓｌとからなる。大幅部１２０−７ｌは、小幅部１２０−７ｓの左側に突出して小幅部１２０−７ｓより大きい幅を有して、大幅部１２０−７ｌの左側端と左側突出部１２０−７ｓｌの左側端は、同一平面上に位置する。後方離隔突起１２０−７の収容溝１２０−７ｇは、一部が後方離隔突起１２０−７の小幅部１２０−７ｓに形成されて、その他は、後方離隔突起１２０−７の大幅部１２０−７ｌに形成される。後方離隔突起１２０−７には、小幅部１２０−７ｓ及び左側突出部１２０−７ｓｌの左右側を貫通し、左側突出部１２０−７ｓｌの左側に突出する中空軸形状の中空締結突起１２０−７ｐが形成される。
【００７９】
図１１を参照すると、右側エンドフレーム１２０の前方外側面下端には、下部前方結合突起１２０−１２が前方に突設されて、右側エンドフレーム１２０の後方外側面下端には、下部後方結合突起１２０−１３が後方に突設される。下部前方結合突起１２０−１２及び下部後方結合突起１２０−１３には、左右側を貫通する中空軸形状の中空締結突起１２０−１２ｐ、１２０−１３ｐがそれぞれ左右側に突設される。中空締結突起１２０−１２ｐは、左側端が左側端メインフレーム１３０＋ｎの締結孔１３０−１２ｈ右側に締結されるように形成される。同様に、中空締結突起１２０−１３ｐは、左側端が左側端メインフレーム１３０＋ｎの締結孔１３０−１３ｈ右側に締結されるように形成される。
【００８０】
図１１を参照すると、右側エンドフレーム１２０には、温度センサー前方挿入着溝１２０−２ｇ及び温度センサー後方挿着溝１２０−３ｇが形成される。温度センサー前方挿着溝１２０−２ｇは、右側エンドフレーム１２０の左側面に凹入形成されるが、先端部が前方に開放されるように形成される。温度センサー前方挿着溝１２０−２ｇは、その開放された先端部が左側端メインフレーム１３０＋ｎの前方垂直板の右側溝１３０−２ｒｇと隣接して貫通孔を形成することにより、後方温度センサー(図示せず)が挿着されるようにする。温度センサー前方挿着溝１２０−２ｇに挿着された前方温度センサー(図示せず)に連結された温度測定ライン(図示せず)は、右側端メインフレーム１３０＋ｎの小幅部１３０−６ｓと右側エンドフレーム１２０の小幅部１２０−６ｓが形成する隙間を通じて案内され、メインフレーム１３０＋１、．．．、１３０＋ｒ、１３０＋(ｒ＋１)、．．．、１３０＋ｎの収容溝１３０−６ｇに収容される一字形の案内管(図示せず)に引き込まれる。温度センサー後方挿着溝１２０−３ｇ及びこれに挿着される後方温度センサー(図示せず)に連結された温度測定ライン(図示せず)に対する説明は、温度センサー前方挿着溝１２０−２ｇ及びこれに挿着される前方温度センサー(図示せず)に連結された温度測定ライン(図示せず)の説明に準する。
【００８１】
図１１を参照すると、右側端メインフレーム１３０＋ｎに収容された第２タイプリチウム２次電池３２０＋ｎの右側電極タップ３２０−ｒｔは、第４締結手段４４０により第４タップ保持部１２０−８に配置固定される。
【００８２】
図１１を参照すると、第４締結手段４４０は、第４下部固定板４４０−１、第４上部固定板４４０−２及び第４締結具４４０−３を有する。第４下部固定板４４０−１、第４上部固定板４４０−２及び第４締結具４４０−３は、それぞれ導体でよい。第４下部固定板４４０−１は、右側エンドフレーム１２０の第４タップ保持部１２０−８に配置されて、ガイド突起（guide protrusion）１２０−８ｐに嵌合される結合溝４４０−１ｈが形成される。第４下部固定板４４０−１には、ボルト(図面符号無し)が上方に突設される。第４上部固定板４４０−２には、第４下部固定板４４０−１のボルト(図面符号無し)が貫通される貫通溝(図面符号無し)が形成される。第４上部固定板４４０−２には、固定板コネクター４４０−２ｃが付着される。
【００８３】
図１１を参照すると、第４締結具４４０−３は、第４下部固定板４４０−１のボルト(図面符号無し)端部に結合される。第２タイプリチウム２次電池３２０＋ｎの右側電極タップ３２０−ｒｔは、第４下部固定板４４０−１と第４上部固定板４４０−２との間に挟まれて、第４締結具４４０−３により固定される。この際、第２タイプリチウム２次電池３２０＋ｎの締結溝３２０−ｒｔｈが第４下部固定板４４０−１のボルト(図面符号無し)を囲むようになる。
【００８４】
一方、図１１を参照すると、第４下部固定板４４０−１と第４上部固定板４４０−２との間にはダミー(dummy)電極タップ４４０−ｄｔが引き込まれて固定される。ダミー電極タップ４４０−ｄｔは、第１タイプリチウム２次電池３１０＋ｉの左側電極タップ３１０−ｌｔと同一材質の電極タップである。したがって、第４締結手段４４０の第４下部固定板４４０−１と第４上部固定板４４０−２間の抵抗を、第１締結手段４１０＋ｎの第１下部固定板４１０−１と第１上部固定板４１０−２間の抵抗と同一に調節することができる。
【００８５】
図１１を参照すると、固定板コネクター４４０−２ｃは、第４上部固定板４４０−２に付着されて、右側端メインフレーム１３０＋ｎに収容された第２タイプリチウム２次電池３２０＋ｎの右側電極タップ３２０−ｒｔ及びダミー電極タップ４４０−ｄｔと電気的に通電されるように連結される。固定板コネクター４４０−２ｃには、電圧測定器(図示せず)に連結されたｎ番目前方電圧測定ライン(図示せず)側のコネクター(図示せず)が挿着される。ｎ番目前方電圧測定ライン(図示せず)は、右側端メインフレーム１３０＋ｎの小幅部１３０−６ｓと右側エンドフレーム１２０の小幅部１２０−６ｓが形成する隙間を通じて、第４締結手段４４０の固定板コネクター４４０−２ｃ側に案内される。
【００８６】
一方、図１１を参照すると、ｎ番目後方電圧測定ライン(図示せず)は、右側端メインフレーム１３０＋ｎの小幅部１３０−７ｓと右側エンドフレーム１２０の小幅部１２０−７ｓが形成する隙間を通じて、第１締結手段４１０＋ｎの固定板コネクター４１０−２ｃ側に案内される。
【００８７】
図１２は、実施例１の左側エンドフレーム及び左側エンドフレームに固定される第１タイプリチウム２次電池の分解斜視図を示す。
【００８８】
図１２に示された左側エンドフレーム１１０は、図１１に示された右側エンドフレーム１２０のミラーイメージ(mirror image)である。したがって、左側エンドフレーム１１０の上端部には、第４タップ保持部１２０−８と対向する方向に露出した第３タップ保持部(図示せず)が形成される。前記第３タップ保持部(図示せず)の前方側端及び後方側端には、第４タップ保持部１２０−８と同様に、それぞれガイド突起(図示せず)が突設される。また、左側エンドフレーム１１０の上端部には、第４仮想タップ保持部１２０−９と対向する方向に第３仮想タップ保持部(図示せず)が形成される。前記第３仮想タップ保持部(図示せず)の前方側端及び後方側端には、第４仮想タップ保持部１２０−９と同様に、それぞれ仮想ガイド突起(図示せず)が突設される。また、左側エンドフレーム１１０には、‘Ｕ’字形のバスバー案内管１１０−１０が形成され得る。また、左側エンドフレーム１１０の上端には、前方離隔突起１１０−６及び後方離隔突起１１０−７が形成される。また、左側エンドフレーム１１０の下端には、下部前方結合突起１１０−１２及び下部後方結合突起１１０−１３が形成される。同様に、左側エンドフレーム１１０には、温度センサー前方挿着溝(図示せず)及び温度センサー後方挿着溝(図示せず)が形成される。これらに対する説明、及びその他、左側エンドフレーム１１０の他の部分に対する説明は、右側エンドフレーム１２０に対する説明に準する。
【００８９】
図１２を参照すると、左側端メインフレーム１３０＋１に収容された第１タイプリチウム２次電池３１０＋１の左側電極タップ３１０−ｌｔは、第３締結手段４３０により第３タップ保持部(図示せず)に配置固定される。
【００９０】
図１２を参照すると、第３締結手段４３０は、第３下部固定板４３０−１、第３上部固定板４３０−２及び第３締結具４３０−３を有する。第３下部固定板４３０−１、第３上部固定板４３０−２及び第３締結具４３０−３は、それぞれ導体でよい。第３下部固定板４３０−１は、左側エンドフレーム１１０の第３タップ保持部(図示せず)に配置されて、ガイド突起(図示せず)に嵌合される結合溝４３０−１ｈが形成される。第３下部固定板４３０−１には、ボルト(図面符号無し)が上方に突設される。第３上部固定板４３０−２には、第３下部固定板４３０−１のボルト(図面符号無し)が貫通される貫通溝(図面符号無し)が形成される。第３上部固定板４３０−２には、固定板コネクター４３０−２ｃが付着される。
【００９１】
図１２を参照すると、第３締結具４３０−３は、第３下部固定板４３０−１のボルト(図面符号無し)端部に結合される。第１タイプリチウム２次電池３１０＋１の左側電極タップ３１０−ｌｔは、第３下部固定板４３０−１と第３上部固定板４３０−２との間に挟まれて、第３締結具４３０−３により固定される。この際、第１タイプリチウム２次電池３１０＋ｌの締結溝３１０−ｌｔｈが第３下部固定板４３０−１のボルト(図面符号無し)を囲むようになる。
【００９２】
一方、図１２を参照すると、第３下部固定板４３０−１と第３上部固定板４３０−２との間にはダミー(dummy)電極タップ４３０−ｄｔが引き込まれて固定される。ダミー電極タップ４３０−ｄｔは、第２タイプリチウム２次電池３１０＋ｉの右側電極タップ３１０−ｒｔと同一材質の電極タップである。したがって、第３締結手段４３０の第３下部固定板４３０−１と第３上部固定板４３０−２間の抵抗を、第１締結手段４１０＋ｌの第１下部固定板４１０−１と第１上部固定板４１０−２間の抵抗と同一に調節することができる。
【００９３】
図１２を参照すると、固定板コネクター４３０−２ｃは、左側端メインフレーム１３０＋ｌに収容された第１タイプリチウム２次電池３１０＋ｌの左側電極タップ３１０−ｌｔ及びダミー電極タップ４３０−ｄｔと電気的に通電するように連結される。固定板コネクター４３０−２ｃには、電圧測定器(図示せず)に連結された０番目前方電圧測定ライン(図示せず)側のコネクター(図示せず)が挿着される。０番目前方電圧測定ライン(図示せず)は、左側端メインフレーム１３０＋ｌの小幅部１３０−６ｓと左側エンドフレーム１１０の小幅部(図面符号無し)が形成する隙間を通じて、第３締結手段４３０の固定板コネクター４３０−２ｃ側に案内される。
【００９４】
したがって、実施例１は、図１２を参照すると、０番目前方電圧測定ライン(図示せず)と１番目後方電圧測定ライン(図示せず)を利用して、左側端メインフレーム１３０＋１に収容された第１タイプリチウム２次電池３１０＋１の電圧を測定することができて、図１１を参照すると、ｎ番目前方電圧測定ライン(図示せず)とｎ番目後方電圧測定ライン(図示せず)を利用し、右側端メインフレーム１３０＋ｎに収容された第２タイプリチウム２次電池３２０＋ｎの電圧を測定することができ、図１０を参照すると、ｒ番目前方電圧測定ライン(図示せず)とｒ番目後方電圧測定ライン(図示せず)を利用し、左側メインフレーム１３０＋ｒに収容された第２タイプリチウム２次電池３２０＋ｒの電圧を測定することができて、再び図１０を参照すると、ｒ番目前方電圧測定ライン(図示せず)と(ｒ＋１)番目後方電圧測定ライン(図示せず)を利用して、右側メインフレーム１３０＋(ｒ＋１)に収容された第１タイプリチウム２次電池３１０＋(ｒ＋１)の電圧を測定することができる。この場合、ダミー電極タップ４３０−ｄｔ、４４０−ｄｔにより、左側端メインフレーム１３０＋１に収容された第１タイプリチウム２次電池３１０＋１及び右側端メインフレーム１３０＋ｎに収容された第２タイプリチウム２次電池３２０＋ｎに連結される抵抗が、その他のリチウム２次電池に連結される抵抗と同一な値を有することができるため、同一な条件下でそれぞれのリチウム２次電池の電圧を測定することができる。
【００９５】
図１３は、保護蓋５００の斜視図を示す。保護蓋５００の背面には、第１保護蓋固定部１３０−９に配置固定される第１保護蓋部５１０と第２保護蓋固定部２３０−９に配置固定される第２保護蓋部５２０を含む。
【００９６】
図１３を参照すると、第１保護蓋部５１０は、第１保護蓋固定部１３０−９に外挿される二つの板からなる第１締結板５１２を含む。第１締結板５１２を構成する二つの板間には、第１保護蓋固定部１３０−９上端に支持される支持台５１２−１が形成される。また、第１締結板を構成する二つの板のいずれかには、第１保護蓋固定部１３０−９の締結孔１３０−９ｈに挿着される締結突起５１２−３が形成される。
【００９７】
図１３は、実施例１の保護蓋の背面斜視図を示す。
【００９８】
図１３を参照すると、同様に、第２保護蓋部５２０は、第２締結板５２２を含み、第２締結板５２２には、支持台５２２−１及び締結突起５２２−３が形成される。
【００９９】
保護蓋５００が第１保護蓋固定部１３０−９及び第２保護蓋固定部２３０−９に配置固定されることにより、第１タップ保持部１３０−８に配置される第１締結手段４１０＋ｉ及び第２タップ保持部２３０−８に配置される第２締結手段４２０＋ｒが外部に露出することなく、保護される。
【０１００】
一方、実施例１は、それぞれのメインフレームは、前方垂直板及び後方垂直板にそれぞれ空気流通孔が形成されるため、それぞれのメインフレームに収容される第１タイプリチウム２次電池と第２タイプリチウム２次電池間に空気が流通されるため、充電乃至放電過程で発生した熱によりリチウム２次電池が損傷することが防止される。
【０１０１】
一方、実施例１の場合、左側端メインフレームと右側端メインフレームとの間に設けられる特定メインフレームの左側収容部及び右側収容部には、リチウム２次電池が収容されないこともある。この場合、前記特定メインフレームの左側に隣接して設けられるメインフレームに収容される第２タイプリチウム２次電池の右側電極タップと前記特定メインフレームの右側に隣接して設けられるメインフレームに収容される第１タイプリチウム２次電池の左側電極タップは、‘Ｌ’字形の第１バスバー(図示せず)及び第２バスバー(図示せず)により通電可能に連結される。第１バスバーの一側端及び第２バスバーの一側端は、第２締結手段の上部固定板をそれぞれ代替することにより、それぞれ第２タイプリチウム２次電池の右側電極タップ及び第１タイプリチウム２次電池の左側電極タップに通電可能に連結される。第１バスバーの他側端及び第２バスバーの他側端は、過電流が流れる場合、電流を遮断するために、電流遮断装置であるヒューズなどにより相互連結される。この際、第１バスバーの中間部分及び第２バスバーの中間部分は、バスバー案内管により案内される。
【０１０２】
(実施例２)
実施例２は、本発明によるリチウム２次電池単位セット(set)の他の実施例である。
【０１０３】
図１４は、実施例２のメインフレームに収容されるリチウム２次電池の分解斜視図を示す。
【０１０４】
図１４を参照すると、実施例２の場合、実施例１とは違って、メインフレーム１３０＋ｉの左側収容部には、第１タイプリチウム２次電池３１０＋ｉが複数収容されて、メインフレーム１３０＋ｉの右側収容部には、第２タイプリチウム２次電池３２０＋ｉが複数収容される。第１タイプリチウム２次電池３１０＋ｉ及び第２タイプリチウム２次電池３２０＋ｉは、それぞれｍ個ずつ収容できる。
【０１０５】
図１５は、メインフレーム１３０＋ｉに収容される第１タイプリチウム２次電池３１０＋ｉの右側電極タップ３１０−ｒｔ及び第２タイプリチウム２次電池３２０＋ｉの左側電極タップ３２０−ｌｔの積層状態の正面図である。図１５及び図１４を参照すると、第１タイプリチウム２次電池３１０＋ｉの右側電極タップ３１０−ｒｔは、相互並列に通電するようにそれぞれ上下に積層されて、第２タイプリチウム２次電池３２０＋ｉの左側電極タップ３２０−ｌｔも相互並列に通電するようにそれぞれ上下に積層される。
【０１０６】
図１６は、メインフレーム１３０＋ｉに収容される第１タイプリチウム２次電池３１０＋ｉの右側電極タップ３１０−ｒｔ及び第２タイプリチウム２次電池３２０＋ｉの左側電極タップ３２０−ｌｔの締結状態の正面図である。図１６及び図１４を参照すると、メインフレーム１３０＋ｉに収容された複数の第１タイプリチウム２次電池３１０＋ｉの右側電極タップ３１０−ｒｔと、メインフレーム１３０＋ｉに収容された複数の第２タイプリチウム２次電池３２０＋ｉの左側電極タップ３２０−ｌｔは、第１締結手段４１０＋ｉにより直列に通電可能に連結される。実施例１と同様に、右側電極タップ３１０−ｒｔ及び左側電極タップ３２０−ｌｔには、締結溝(図示せず)の代わりに締結孔(図示せず)が形成されることもある。
【０１０７】
図には示されていないが、同様に、相互隣り合って設けられるメインフレームの中、左側メインフレームに収容される第１タイプリチウム２次電池の右側電極タップは、相互並列に通電するようにそれぞれ上下に積層されて、右側メインフレームに収容される第１タイプリチウム２次電池の左側電極タップも、相互並列に通電するようにそれぞれ上下に積層される。同様に、これらは、第２締結手段により直列に通電可能に連結される。
【０１０８】
図には示されていないが、実施例２の場合も、右側端メインフレームに収容される第２タイプリチウム２次電池の右側電極タップを固定させる第４締結手段の第４下部固定板と第４上部固定板との間には、ダミー電極タップが引き込まれて固定される。第４締結手段の第４下部固定板と第４上部固定板との間に固定されるダミー電極タップは、それぞれのメインフレームに収容される第１タイプリチウム２次電池の数及び第２タイプリチウム２次電池の数と同一であり、これらのダミー電極タップは、それぞれ上下に積層固定される。同様に、実施例２の場合、左側端メインフレームに収容される第１タイプリチウム２次電池の左側電極タップを固定させる第３締結手段の第３下部固定板と第３上部固定板との間には、ダミー電極タップが引き込まれて固定される。第３締結手段の第３下部固定板と第３上部固定板との間に固定されるダミー電極タップは、それぞれのメインフレームに収容される第１タイプリチウム２次電池の数及び第２タイプリチウム２次電池の数と同一であり、これらのダミー電極タップは、それぞれ上下に積層固定される。
【０１０９】
したがって、実施例２の場合、それぞれのメインフレームには、複数のリチウム２次電池が装着されるが、実施例２のリチウム２次電池の装着構造は、ｍＰｎＳタイプを有する。ここで、Ｐは、同一なメインフレームの同一な収容部に収容される一セットのリチウム２次電池は、相互並列に連結されていることを示し、ｍは、同一なメインフレームの同一な収容部に収容されて相互並列に連結されるリチウム２次電池の数を示し、Ｓは、それぞれ別の収容部に収容された一セットのリチウム２次電池は、相互直列に連結されていることを示し、ｎは、相互直列に連結されている電池セットの数を示す。２Ｐ５０Ｓの場合、５０個の電池セットが相互直列に連結されており、それぞれの電池セットは、二つのリチウム２次電池が並列に連結されて構成されていることを示す。即ち、全体メインフレームの数は２５個であり、全体収容部の数(全体左側収容部と右側収容部とを合わせた数)は、５０個であって、それぞれの収容部には、二つのリチウム２次電池が並列に連結されて収容されており、全体リチウム２次電池の数は、１００個であることを示す。したがって、実施例２は、ｍを変化させることにより、容量(capacity)を変更させることができて、ｎを変化させることにより、容易に電圧を変更させることができる。
【０１１０】
実施例２の場合、それぞれのメインフレームの左側端と右側端との間の幅は、それぞれのメインフレームに収容される第１タイプリチウム２次電池の数及び第２タイプリチウム２次電池の数が多くなるほど広くなる。
【０１１１】
それぞれのメインフレームに収容される第１タイプリチウム２次電池及び第２タイプリチウム２次電池の数がｎ個であることによる差を除いては、実施例１と同一であるため、以下説明を省く。
【０１１２】
(実施例３)
実施例３は、本発明によるリチウム２次電池単位セットのまた他の実施例である。
【０１１３】
図１７は、実施例３の上部ハウジングが外された状態の斜視図を示す。
【０１１４】
図１７を参照すると、実施例３は、実施例１または実施例２のリチウム２次電池単位セット１０００を有する。実施例１または実施例２のリチウム２次電池単位セット１０００は、リチウム２次電池ハウジング(図面符号無し)内部に設けられる。
【０１１５】
図１７を参照すると、リチウム２次電池ハウジング(図面符号無し)は、下部ハウジング６１０と上部ハウジング６２０を有する。上部ハウジング６２０には、ハウジング空気流入孔６２２及びハウジング空気流出孔６２４が形成される。
【０１１６】
図１７を参照すると、ハウジング空気流入孔６２２は、上部ハウジング６２０内面とそれぞれのメインフレーム(図面符号無し)の前方垂直板１３０−２との間に形成される前方空気流通路(図示せず)の延長線上に形成される。
【０１１７】
図１７を参照すると、ハウジング空気流出孔６２４は、上部ハウジング６２０内面とそれぞれのメインフレーム(図面符号無し)の後方垂直板(図示せず)との間に形成される後方空気流通路(図示せず)の延長線上に形成される。
【０１１８】
図１７を参照すると、ハウジング空気流入孔６２２の左側には、冷却空気流入のための送風ファン(図示せず)が設けられる。したがって、送風ファン(図示せず)により案内された冷却空気が、ハウジング空気流入孔６２２を通じてリチウム２次電池ハウジング(図面符号無し)内部に流入された後、前方空気流通路(図示せず)及び後方空気流通路(図示せず)を経て、ハウジング空気流出孔６２４を通じて流出される。この際、前方空気流通路(図示せず)を通る冷却空気の一部は、前方垂直板１３０−２の空気流通孔１３０−２ｈに流入され、後方垂直板(図示せず)の空気流通孔(図示せず)に流出されることにより、それぞれのメインフレームに収容された第１タイプリチウム２次電池と第２タイプリチウム２次電池の過熱を防止するようになる。
【０１１９】
(実施例４)
実施例４は、本発明によるリチウム２次電池単位セットのまた他の実施例である。
【０１２０】
図１８は、実施例４のリチウム２次電池ハウジングの上部ハウジング６２０の斜視図を示す。実施例４は、上部ハウジング６２０に形成されるハウジング空気流入孔６２２及びハウジング空気流出孔６２４の数を除いては、実施例３と同一である。
【０１２１】
図１８を参照すると、ハウジング空気流入孔６２２は、実施例３のように、上部ハウジング６２０内面とそれぞれのメインフレーム(図面符号無し)の前方垂直板１３０−２(図１７参照)との間に形成される前方空気流通路(図示せず)の延長線上に形成される。しかしながら、実施例４は、実施例３と異なって、ハウジング空気流入孔６２２は、前記前方空気流通路(図示せず)の延長線上の中、上部ハウジング６２０の左側面及び右側面にそれぞれ形成される。図には示されていないが、それぞれのハウジング空気流入孔６２２の外側には、冷却空気流入のための送風ファン(図示せず)がそれぞれ設けられる。
【０１２２】
図１８を参照すると、ハウジング空気流出孔６２４は、実施例３のように、上部ハウジング６２０内面とそれぞれのメインフレーム(図面符号無し)の後方垂直板(図示せず)との間に形成される後方空気流通路(図示せず)の延長線上に形成される。しかしながら、実施例４は、実施例３と異なって、ハウジング空気流出孔６２４は、前記後方空気流通路(図示せず)の延長線上の中、上部ハウジング６２０の左側面及び右側面にそれぞれ形成される
【０１２３】
実施例４は、通風経路を除いては、実施例３と同一であるため、以下説明を省く。
【０１２４】
(実施例５)
実施例５は、本発明によるリチウム２次電池単位セットのまた他の実施例である。
【０１２５】
図１９は、実施例５のリチウム２次電池ハウジングの上部ハウジング６２０の斜視図を示す。実施例５は、上部ハウジング６２０に形成されるハウジング空気流入孔６２２及びハウジング空気流出孔６２４を除いては、実施例３と同一である。
【０１２６】
図１９を参照すると、ハウジング空気流入孔６２２は、上部ハウジング６２０の前面に形成される。ここで、図１７を一緒に参照すると、ハウジング空気流入孔６２２は、メインフレーム(図面符号無し)の中、左側端メインフレーム(図面符号無し)の前方垂直板１３０−２に形成された空気流通孔１３０−２ｈ前方から右側端メインフレーム(図面符号無し)の前方垂直板１３０−２に形成された空気流通孔１３０−２ｈの前方に至るまで、一体状に一つの通孔で形成される。図１９には示されていないが、ハウジング空気流入孔６２２の前方には、冷却空気流入のための送風ファン(図示せず)が設けられる。
【０１２７】
図１９を参照すると、ハウジング空気流出孔６２４は、上部ハウジング６２０の後面に形成されるが、ハウジング空気流入孔６２２に対向する位置に同一な形状で形成される。
【０１２８】
実施例５は、通風経路を除いては、実施例３と同一であるため、以下説明を省く。
【０１２９】
(実施例６)
実施例６は、本発明による複数のリチウム２次電池単位セットを有する電池セットに関する。
【０１３０】
図２０は、実施例６の上部ハウジングが外された状態の斜視図を、図２１は、実施例６の通風経路の概略図を示す。
【０１３１】
図２０を参照すると、実施例６は、実施例１または実施例２のリチウム２次電池単位セット１０００を有する。実施例１または実施例２のリチウム２次電池単位セット１０００は、リチウム２次電池ハウジング(図面符号無し)内部に設けられる。実施例１または実施例２のリチウム２次電池単位セット１０００は、前後に隣り合って複数設けられるが、以下、二つが前後に隣り合って設けられる場合について説明する。
【０１３２】
図２０を参照すると、二つのリチウム２次電池単位セット１０００は、前方リチウム２次電池単位セット１０００＋ｆの後方離隔突起１３０−７後端が、後方リチウム２次電池単位セット１０００＋ｒの前方離隔突起１３０−６前端と接触することにより、前方リチウム２次電池単位セット１０００＋ｆの後方垂直板(図示せず)と後方リチウム２次電池単位セット１０００＋ｒの前方垂直板(図面符号無し)との間に中央空気流通路１００２が形成されるように設けられる。
【０１３３】
図２０を参照すると、リチウム２次電池ハウジング(図面符号無し)は、下部ハウジング１６１０と上部ハウジング１６２０を有する。上部ハウジング１６２０には、ハウジング空気流入孔１６２２及びハウジング空気流出孔１６２４−ｆ、１６２４−ｒが形成される。
【０１３４】
図２０を参照すると、ハウジング空気流入孔１６２２は、前方リチウム２次電池単位セット１０００＋ｆの後方垂直板(図示せず)と後方リチウム２次電池単位セット１０００＋ｒの前方垂直板(図面符号無し)との間に形成される中央空気流通路１００２の延長線上に形成される。
【０１３５】
図２０を参照すると、ハウジング空気流出孔１６２４−ｆは、上部ハウジング１６２０内面と前方リチウム２次電池単位セット１０００＋ｆをなすそれぞれのメインフレーム(図面符号無し)の前方垂直板１３０−２との間に形成される前方空気流通路１００４−ｆ(図２１参照)の延長線上に形成される。ハウジング空気流出孔１６２４−ｒは、上部ハウジング１６２０内面と後方リチウム２次電池単位セット１０００＋ｒをなすそれぞれのメインフレーム(図面符号無し)の後方垂直板(図示せず)との間に形成される後方空気流通路１００４−ｒ(図２１参照)の延長線上に形成される。
【０１３６】
図２０を参照すると、ハウジング空気流入孔１６２２の左側には、冷却空気流入のための送風ファン(図示せず)が設けられる。したがって、送風ファン(図示せず)により案内された冷却空気が、ハウジング空気流入孔１６２２を通じて、リチウム２次電池ハウジング(図面符号無し)内部に流入された後、中央空気流通路１００２、前方空気流通路１００４−ｆ(図２１参照)及び後方空気流通路１００４−ｒ(図２１参照)を経て、ハウジング空気流出孔１６２４−ｆ、１６２４−ｒを通じて流出される。図２１を一緒に参照すると、中央空気流通路１００２を通る冷却空気の一部は、前方リチウム２次電池単位セット１０００＋ｆの空気流通孔１３０−３ｈと後方リチウム２次電池単位セット１０００＋ｒの空気流通孔１３０−２ｈに流入されて、それぞれ前方リチウム２次電池単位セット１０００＋ｆの空気流通孔１３０−２ｈと後方リチウム２次電池単位セット１０００＋ｒの空気流通孔１３０−３ｈに流出される。
【０１３７】
(実施例７)
実施例７は、本発明による複数のリチウム２次電池単位セットを有する電池セットのまた他の実施例である。
【０１３８】
図２２（ａ）は、実施例７の上部ハウジングの斜視図を示す。実施例７は、上部ハウジング１６２０に形成されるハウジング空気流入孔１６２２及びハウジング空気流出孔１６２４−ｆ、１６２４−ｒを除いては、実施例６と同一である。
【０１３９】
図２０を一緒に参照すると、実施例７は、実施例６と同様に、実施例１または実施例２のリチウム２次電池単位セット１０００を有する。実施例１または実施例２のリチウム２次電池単位セット１０００は、実施例６と同様に、リチウム２次電池ハウジング(図面符号無し)内部に設けられる。実施例１または実施例２のリチウム２次電池単位セット１０００は、実施例６と同様に、前後に隣り合って複数設けられるが、以下、二つが前後に隣り合って設けられる場合について説明する。
【０１４０】
図２２（ａ）を参照すると、上部ハウジング１６２０には、ハウジング空気流入孔１６２２及びハウジング空気流出孔１６２４−ｆ、１６２４−ｒが形成される。
【０１４１】
図２０を一緒に参照すると、実施例６と同様に、ハウジング空気流入孔１６２２は、前方リチウム２次電池単位セット１０００＋ｆの後方垂直板(図示せず)と後方リチウム２次電池単位セット１０００＋ｒの前方垂直板(図面符号無し)との間に形成される中央空気流通路１００２の延長線上に形成される。しかしながら、実施例７は、実施例６と異なって、ハウジング空気流入孔１６２２は、前記中央空気流通路１００２の延長線上の中、上部ハウジング１６２０の左側面及び右側面にそれぞれ形成される。図には示されていないが、それぞれのハウジング空気流入孔１６２２の外側には、冷却空気流入のための送風ファン(図示せず)がそれぞれ設けられる。
【０１４２】
図２０を一緒に参照すると、実施例６と同様に、ハウジング空気流出孔１６２４−ｆは、上部ハウジング１６２０内面と前方リチウム２次電池単位セット１０００＋ｆをなすそれぞれのメインフレーム(図面符号無し)の前方垂直板１３０−２との間に形成される前方空気流通路１００４−ｆ(図２２（ｂ）参照)の延長線上に形成される。しかしながら、実施例７は、実施例６と異なって、ハウジング空気流出孔１６２４−ｆは、前記前方空気流通路１００４−ｆ(図２１参照)の延長線上の中、上部ハウジング１６２０の左側面及び右側面にそれぞれ形成される。
【０１４３】
図２０を一緒に参照すると、実施例６と同様に、ハウジング空気流出孔１６２４−ｒは、上部ハウジング１６２０内面と後方リチウム２次電池単位セット１０００＋ｒをなすそれぞれのメインフレーム(図面符号無し)の後方垂直板(図示せず)との間に形成される後方空気流通路１００４−ｒ(図２２（ｂ）参照)の延長線上に形成される。しかしながら、実施例７は、実施例６と異なって、ハウジング空気流出孔１６２４−ｒは、前記後方空気流通路１００４−ｒ(図２２（ｂ）参照)の延長線上の中、上部ハウジング１６２０の左側面及び右側面にそれぞれ形成される。
【０１４４】
図２２（ｂ）には、実施例７の通風経路が概略的に示されている。
【０１４５】
(実施例８)
実施例８は、本発明による複数のリチウム２次電池単位セットを有する電池セットのまた他の実施例である。
【０１４６】
図２３（ａ）は、実施例８の上部ハウジングの斜視図を示す。実施例８は、上部ハウジング１６２０に形成されるハウジング空気流入孔１６２２及びハウジング空気流出孔１６２４を除いては、実施例６と同一である。
【０１４７】
図２０を一緒に参照すると、実施例８は、実施例６と同様に、実施例１または実施例２のリチウム２次電池単位セット１０００を有する。実施例１または実施例２のリチウム２次電池単位セット１０００は、実施例６と同様に、リチウム２次電池ハウジング(図面符号無し)内部に設けられる。実施例１または実施例２のリチウム２次電池単位セット１０００は、実施例６と同様に、前後に隣り合って複数設けられるが、以下、二つが前後に隣り合って設けられる場合について説明する。
【０１４８】
図２３（ａ）を参照すると、上部ハウジング１６２０には、ハウジング空気流入孔１６２２及びハウジング空気流出孔１６２４が形成される。
【０１４９】
図２０を一緒に参照すると、ハウジング空気流入孔１６２２は、上部ハウジング１６２０内面と前方リチウム２次電池単位セット１０００＋ｆをなすそれぞれのメインフレーム(図面符号無し)の前方垂直板１３０−２との間に形成される前方空気流通路１００４−ｆ(図２３（ｂ）参照)の延長線上に形成される。ハウジング空気流入孔１６２２は、前記前方空気流通路１００４−ｆ(図２３（ｂ）の参照)の延長線上の中、上部ハウジング１６２０の左側面及び右側面にそれぞれ形成される。図には示されていないが、それぞれのハウジング空気流入孔１６２２の外側には、冷却空気流入のための送風ファン(図示せず)がそれぞれ設けられる。
【０１５０】
図２０を一緒に参照すると、ハウジング空気流出孔１６２４は、上部ハウジング１６２０内面と後方リチウム２次電池単位セット１０００＋ｒをなすそれぞれのメインフレーム(図面符号無し)の後方垂直板(図示せず)との間に形成される後方空気流通路１００４−ｒ(図２３（ｂ）参照)の延長線上に形成される。ハウジング空気流出孔１６２４は、前記後方空気流通路１００４−ｒ(図２３（ｂ）参照)の延長線上の中、上部ハウジング１６２０の左側面及び右側面にそれぞれ形成される。
【０１５１】
図２３（ｂ）には、実施例８の通風経路が概略的に示されている。
【０１５２】
(実施例９)
実施例９は、本発明による複数のリチウム２次電池単位セットを有する電池セットのまた他の実施例である。
【０１５３】
図２４（ａ）は、実施例９の上部ハウジングの斜視図を示す。実施例９は、上部ハウジング１６２０に形成されるハウジング空気流入孔１６２２及びハウジング空気流出孔１６２４を除いては、実施例６と同一である。
【０１５４】
図２０を一緒に参照すると、実施例９は、実施例６と同様に、実施例１または実施例２のリチウム２次電池単位セット１０００を有する。実施例１または実施例２のリチウム２次電池単位セット１０００は、実施例６と同様に、リチウム２次電池ハウジング(図面符号無し)内部に設けられる。実施例１または実施例２のリチウム２次電池単位セット１０００は、実施例６と同様に、前後に隣り合って複数設けられるが、以下、二つが前後に隣り合って設けられる場合について説明する。
【０１５５】
図２４（ａ）を参照すると、上部ハウジング１６２０には、ハウジング空気流入孔１６２２及びハウジング空気流出孔１６２４が形成される。
【０１５６】
図２４（ａ）を参照すると、ハウジング空気流入孔１６２２は、上部ハウジング１６２０の前面に複数形成される。それぞれのハウジング空気流入孔１６２２は、前記リチウム２次電池単位セットの中、最前方に位置したリチウム２次電池単位セットのそれぞれの前方垂直板に形成された空気流通孔１３０−２ｈ(図２４（ｂ）参照)前方に形成される。図には示されていないが、ハウジング空気流入孔１６２２の前方には、冷却空気流入のための送風ファン(図示せず)が設けられる。
【０１５７】
図２４（ａ）を参照すると、ハウジング空気流出孔１６２４は、ハウジング空気流入孔１６２２と対向する位置にそれぞれ同一な数だけ形成される。
【０１５８】
図２４（ｂ）には、実施例９の通風経路が概略的に示されている。
【０１５９】
一方、実施例９のハウジング空気流入孔１６２２は、図１９に示されたものと同様に、前方メインフレーム(図面符号無し)の中、左側端メインフレーム(図面符号無し)の前方垂直板に形成された空気流通孔１３０−２ｈ前方から右側端メインフレーム(図面符号無し)の前方垂直板に形成された空気流通孔１３０−２ｈ前方に至るまで、一体状に一つの通孔で形成できる。この場合、ハウジング空気流出孔１６２４は、ハウジング空気流入孔１６２２と対向する位置に同一な形状で形成される。
【産業上の利用可能性】
【０１６０】
本発明は、複数のリチウム２次電池の連結構造が自由になるにつれて、電圧及び容量の変更が容易であって、放熱性に優れており、充電乃至放電時に発生する熱を最小化することができて、高出力を必要とするハイブリッド自動車などを始めとした様々な産業分野で適用可能である。
【図１】
2011502337.tif 000003
【図２】
2011502337.tif 000004
【図３】
2011502337.tif 000005
【図４】
2011502337.tif 000006
【図５】
2011502337.tif 000007
【図６】
2011502337.tif 000008
【図７】
2011502337.tif 000009
【図８】
2011502337.tif 000010
【図９】
2011502337.tif 000011
【図１０】
2011502337.tif 000012
【図１１】
2011502337.tif 000013
【図１２】
2011502337.tif 000014
【図１３】
2011502337.tif 000015
【図１４】
2011502337.tif 000016
【図１５】
2011502337.tif 000017
【図１６】
2011502337.tif 000018
【図１７】
2011502337.tif 000019
【図１８】
2011502337.tif 000020
【図１９】
2011502337.tif 000021
【図２０】
2011502337.tif 000022
【図２１】
2011502337.tif 000023
【図２２（ａ）】
2011502337.tif 000024
【図２２（ｂ）】
2011502337.tif 000025
【図２３（ａ）】
2011502337.tif 000026
【図２３（ｂ）】
2011502337.tif 000027
【図２４（ａ）】
2011502337.tif 000028
【図２４（ｂ）】
2011502337.tif 000029
【国際調査報告】
2011502337.tif 000030
2011502337.tif 000031